(57)【特許請求の範囲】
【請求項１】
被写体の光学的な像を電気的な画像信号に変換可能な撮像装置に用いられるレンズ鏡筒であって、
前記被写体の光学的な像を形成する撮影光学系と、
前記撮影光学系に含まれ、前記撮影光学系の光軸に平行な方向へ移動することにより物体距離を変更可能なフォーカスレンズ群と、
前記フォーカスレンズ群を光軸に平行な方向へ移動させる移動手段と、
前記移動手段を駆動する駆動手段と、
前記撮影光学系の光軸に同軸の円筒形状であり、手動による回転操作に応じて、前記駆動手段を駆動して前記移動手段による前記フォーカスレンズ群を移動するマニュアルフォーカス撮影領域の回転範囲と、手動による回転操作によらずに、自動で前記駆動手段を駆動して前記移動手段による前記フォーカスレンズ群を移動するオートフォーカス撮影領域の回転範囲とを取り得る第１の操作部材と、
前記第１の操作部材と一体的に光軸中心に回転するように設けられ、当該第１の操作部材における前記マニュアルフォーカス撮影領域の回転範囲と、前記オートフォーカス撮影領域の回転範囲とを、手動による回転操作によって切り替えるために操作される第２の操作部材と、
前記第２の操作部材を前記第１の操作部材の外周方向に付勢する操作部材付勢部とを備え、
前記第１の操作部材は、光軸を中心に回転可能であって、光軸と平行な方向への前記第１の操作部材の移動は規制されており、
前記第２の操作部材が前記第１の操作部材の内周方向に押し込まれていないときには、前記第１の操作部材は前記マニュアルフォーカス撮影領域の回転範囲を手動によって自由に回転させられ、前記第１の操作部材が前記マニュアルフォーカス撮影領域の回転範囲から前記オートフォーカス撮影領域の回転範囲へ手動によって回転されることのみが、前記第２の操作部材により禁止され、
前記第２の操作部材が前記第１の操作部材の内周方向に押し込まれているときには、前記第１の操作部材が前記マニュアルフォーカス撮影領域の回転範囲から前記オートフォーカス撮影領域の回転範囲へ手動によって回転されることが、前記第２の操作部材により許容されることを特徴とするレンズ鏡筒。
【請求項２】
さらに、
前記第１の操作部材を手動で回転操作する場合に、当該第１の操作部材に設けられた内周面を外周方向に付勢したまま、当該内周面と摺りながら移動する内周面付勢部を備え、
前記第１の操作部材において、前記オートフォーカス撮影領域の回転範囲の内周面の半径が、前記マニュアルフォーカス撮影領域の回転範囲の内周面の半径より小さいことにより、前記マニュアルフォーカス撮影領域よりも前記オートフォーカス撮影領域の方が、前記内周面付勢部による付勢力が大きく、回転負荷が重いことを特徴とする請求項１に記載のレンズ鏡筒。
【請求項３】
前記第２の操作部材が前記第１の操作部材の内周方向に押し込まれていないときには、前記第１の操作部材が前記オートフォーカス撮影領域の回転範囲から前記マニュアルフォーカス撮影領域の回転範囲へ手動によって回転されることが、前記第２の操作部材により禁止され、
前記第２の操作部材が前記第１の操作部材の内周方向に押し込まれているときには、前記第１の操作部材が前記オートフォーカス撮影領域の回転範囲から前記マニュアルフォーカス撮影領域の回転範囲へ手動によって回転されることが、前記第２の操作部材により許容されることを特徴とする請求項１に記載のレンズ鏡筒。
【請求項４】
前記第１の操作部材が前記オートフォーカス撮影領域の回転範囲から前記マニュアルフォーカス撮影領域の回転範囲へ手動によって回転されるときに、前記第２の操作部材が当該回転の力によって前記第１の操作部材の内周方向に押し込まれ、前記第１の操作部材が前記オートフォーカス撮影領域の回転範囲から前記マニュアルフォーカス撮影領域の回転範囲へ手動によって回転されることが、前記第２の操作部材により禁止されないことを特徴とする請求項１に記載のレンズ鏡筒。
【請求項５】
被写体の光学的な像を電気的な画像信号に変換可能な撮像装置に用いられるレンズ鏡筒であって、
前記被写体の光学的な像を形成する撮影光学系と、
前記撮影光学系の光軸上の所定位置に設けられ、前記撮影光学系の絞り値を変更可能な絞り装置と、
前記絞り装置を動作させる駆動手段と、
前記撮影光学系の光軸に同軸の円筒形状であり、手動による回転操作に応じて、前記駆動手段を駆動して前記変更手段による絞り装置の絞り値を変更するマニュアルモードの回転範囲と、手動による回転操作によらずに、自動で前記駆動手段を駆動して前記変更手段による絞り装置の絞り値を変更するオートモードの回転範囲とを取り得る第１の操作部材と、
前記第１の操作部材と一体的に光軸中心に回転するように設けられ、当該第１の操作部材における前記マニュアルモードの回転範囲と、前記オートモードの回転範囲とを、手動による回転操作によって切り替えるために操作される第２の操作部材と、
前記第２の操作部材を前記第１の操作部材の外周方向に付勢する操作部材付勢部とを備え、
前記第１の操作部材は、光軸を中心に回転可能であって、光軸と平行な方向への前記第１の操作部材の移動は規制されており、
前記第２の操作部材が前記第１の操作部材の内周方向に押し込まれていないときには、前記第１の操作部材は前記マニュアルモードの回転範囲を手動によって自由に回転させられ、前記第１の操作部材が前記マニュアルモードの回転範囲から前記オートモードの回転範囲へ手動によって回転されることのみが、前記第２の操作部材により禁止され、
前記第２の操作部材が前記第１の操作部材の内周方向に押し込まれているときには、前記第１の操作部材が前記マニュアルモードの回転範囲から前記オートモードの回転範囲へ手動によって回転されることが、前記第２の操作部材により許容されることを特徴とするレンズ鏡筒。
【請求項６】
前記第２の操作部材が前記第１の操作部材の内周方向に押し込まれていないときには、前記第１の操作部材が前記オートモードの回転範囲から前記マニュアルモードの回転範囲へ手動によって回転されることが、前記第２の操作部材により禁止され、
前記第２の操作部材が前記第１の操作部材の内周方向に押し込まれているときには、前記第１の操作部材が前記オートモードの回転範囲から前記マニュアルモードの回転範囲へ手動によって回転されることが、前記第２の操作部材により許容されることを特徴とする請求項５に記載のレンズ鏡筒。
【請求項７】
前記第１の操作部材が前記オートモードの回転範囲から前記マニュアルモードの回転範囲へ手動によって回転されるときに、前記第２の操作部材が当該回転の力によって前記第１の操作部材の内周方向に押し込まれ、前記第１の操作部材が前記オートモードの回転範囲から前記マニュアルモードの回転範囲へ手動によって回転されることが、前記第２の操作部材により禁止されないことを特徴とする請求項５に記載のレンズ鏡筒。
【請求項８】
被写体の光学的な像を電気的な画像信号に変換可能な撮像装置であって、
請求項１〜４のいずれか１項に記載のレンズ鏡筒と、
前記撮影光学系により形成された光学的な像を電気的な画像信号に変換する撮像センサーと、
制御手段とを備え、
前記レンズ鏡筒は、さらに、
前記第１の操作部材の回転角度に応じた信号を出力する回転角度検知手段を含み、
前記制御手段は、
前記第１の操作部材が、前記マニュアルフォーカス撮影領域の回転範囲において回転操作された場合、前記回転角度検知手段により出力された信号に基づいて、前記フォーカスレンズ群を移動させるための制御信号を生成することを特徴とする撮像装置。
【請求項９】
さらに、前記撮影光学系のデフォーカス量を演算する演算手段を備え、
前記制御手段は、
前記第１の操作部材が、前記オートフォーカス撮影領域の回転範囲にある状態において、動作開始が指示された場合、前記演算手段の演算結果に基づいて、前記制御信号を生成することを特徴とする請求項８に記載の撮像装置。
【請求項１０】
前記演算手段のデフォーカス量は、前記撮像センサーから出力される画像信号に基づいて演算されることを特徴とする請求項９に記載の撮像装置。
【請求項１１】
前記撮影光学系は、ズームレンズ系であり、
さらに、
前記撮影光学系のデフォーカス量を演算する演算手段と、
前記撮影光学系の焦点距離を検知する焦点距離検知手段とを備え、
前記制御手段は、
前記第１の操作部材が、前記オートフォーカス撮影領域の回転範囲にある状態において、動作開始が指示された場合、前記演算手段の演算結果と前記焦点距離検知手段の検知結果とに基づいて、前記フォーカスレンズ群を移動させるための前記制御信号を生成することを特徴とする請求項８に記載の撮像装置。
【請求項１２】
被写体の光学的な像を電気的な画像信号に変換可能な撮像装置であって、
請求項５〜７のいずれか１項に記載のレンズ鏡筒と、
前記撮影光学系により形成された光学的な像を電気的な画像信号に変換する撮像センサーと、
制御手段とを備え、
前記レンズ鏡筒は、さらに、
前記第１の操作部材の回転角度に応じた信号を出力する回転角度検知手段を含み、
前記制御手段は、
前記第１の操作部材が、前記マニュアルフォーカス撮影領域の回転範囲において回転操作された場合、前記回転角度検知手段により出力された信号に基づいて、前記絞り装置の絞り値を変更させるための制御信号を生成することを特徴とする撮像装置。
【請求項１３】
さらに、
光量を検知する測光手段と、
前記測光手段の検知結果に基づいて前記撮影光学系の絞り値を演算する演算手段とを備え、
前記制御手段は、
前記第１の操作部材が、前記オートフォーカス撮影領域の回転範囲にある状態において、動作開始が指示された場合、前記演算手段の演算結果に基づいて、前記制御信号を生成することを特徴とする請求項１２に記載の撮像装置。
【請求項１４】
前記測光手段は、前記撮像センサーであることを特徴とする請求項１３に記載の撮像装置。
【請求項１５】
さらに、
光量を測定する測光手段と、
シャッタースピードを設定するシャッタースピード設定手段と、
前記測光手段の検知結果と、前記シャッタースピード設定手段の設定とに基づいて前記撮影光学系の絞り値を演算する演算手段とを備え、
前記制御手段は、
前記第１の操作部材が、前記オートフォーカス撮影領域の回転範囲にある状態において、動作開始が指示された場合、前記演算手段の演算結果に基づいて、前記制御信号を生成することを特徴とする請求項１２に記載の撮像装置。
【請求項１６】
前記測光手段は、前記撮像センサーであることを特徴とする請求項１５に記載の撮像装置。
【発明の詳細な説明】
【技術分野】
【０００１】
本発明は、レンズ鏡筒およびレンズ鏡筒を備えた撮像装置、ならびに撮像装置を備えたカメラに関し、特定的には、マニュアル操作部材を備えたレンズ鏡筒およびレンズ鏡筒を備えた撮像装置、ならびに撮像装置を備えたカメラに関する。
【背景技術】
【０００２】
近年、被写体の光学的な像を電気的な画像信号に変換して出力可能なデジタルスチルカメラやデジタルビデオカメラ（以下、単にデジタルカメラという）が、急速に普及している。
【０００３】
デジタルカメラについては、オートフォーカスのハイスピード化や本体の小型軽量化等を主眼としたフルオートモデルと、フォーカシングのマニュアル操作を行うフォーカスリングや露出設定のマニュアル操作を行う絞りリングを備えたハイエンドモデルとに大別される。最近では、デジタルカメラにより撮影される画像の品質が向上してきたため、自分で操作できる喜びを享受できるハイエンドモデルの人気も高まりつつある。
【０００４】
デジタルカメラは、ＣＣＤ（Ｃｈａｒｇｅ  Ｃｏｕｐｌｅｄ  Ｄｅｖｉｃｅ）等の撮像センサーを備えた撮像装置を含んでいる。撮像装置は、撮影光学系を保持するレンズ鏡筒を有している。マニュアル操作が可能なデジタルカメラ用のレンズ鏡筒は、一般に、円筒形状のズームリング、フォーカスリング、絞りリング等の操作部材を備えている。例えば、特許文献１には、マニュアル操作が可能なズームリング、フォーカスリング、絞りリングを備えたレンズ鏡筒を備えたカメラが開示されている。特許文献１に記載されたカメラは、ズームリングを操作することによりズームミングを、フォーカスリングを操作することによりフォーカシングを、絞りリングを操作することにより絞り値の変更を、それぞれ行うことができる。
【０００５】
特許文献１に記載されたカメラは、自動でフォーカシングを行うオートフォーカスモードと、手動操作でフォーカシングを行うマニュアルフォーカスモードとを選択的に切り替えるためのＡＦ／ＭＦ切り替えスイッチを、フォーカスリングとは別に有している。特許文献１に記載されたカメラは、マニュアルフォーカスモードが選択された場合、フォーカスリングの回転量及び回転方向に基づいてフォーカスモータを駆動し、フォーカスレンズを光軸方向に移動させている。
【０００６】
また、特許文献１に記載されたカメラは、露出モードを切り替えるための露出設定ダイヤルを絞りリングとは別に有している。特許文献１に記載されたレンズ鏡筒は、露出設定ダイヤルの操作により、すべて自動で露出設定を行うプログラムＡＥモードと、設定した絞り値に基づいて露出設定を行う絞り優先ＡＥモードと、設定したシャッタースピードに基づいて露出設定を行うシャッタースピード優先ＡＥモードと、すべて手動で露出設定を行うマニュアル露出モードとを選択することができる。
【０００７】
特許文献１に記載されたカメラは、絞り優先ＡＥモードまたはマニュアル露出モードが選択された場合、絞りリングの回転量及び回転方向に基づいて絞りモータを駆動し、絞り羽根を動作させて、露出制御を行っている。
【特許文献１】特開２００３−２９１３１号公報
【発明の開示】
【発明が解決しようとする課題】
【０００８】
しかしながら、特許文献１に記載されたカメラは、ＡＦ／ＭＦ切り替えスイッチがフォーカスリングの操作と関連のない位置に配置されている。また、特許文献１に記載されたカメラは、露出設定ダイヤルが絞りリングの操作と関連のない位置に配置されている。
【０００９】
したがって、特許文献１に記載されたカメラは、ＡＦ／ＭＦ切り替えスイッチ及び露出設定ダイヤルが、フォーカスリングや絞りリングのマニュアル操作部材とは、関連のない位置に配置されているため、操作性が悪いという課題を有していた。
【００１０】
また、特許文献１に記載されたカメラは、ＡＦ／ＭＦ切り替えスイッチ及び露出設定ダイヤルが、フォーカスリングや絞りリングのマニュアル操作部材とは、関連のない位置に配置されているため、部品点数が多くなるという課題を有していた。
【００１１】
本発明の目的は、マニュアル操作部材を備えながら、撮影者の操作性を向上させ、部品点数が削減されたレンズ鏡筒およびレンズ鏡筒を備えた撮像装置、ならびに撮像装置を備えたカメラを提供することである。
【課題を解決するための手段】
【００１２】
上記目的は、以下のレンズ鏡筒により達成される。
被写体の光学的な像を電気的な画像信号に変換可能な撮像装置に用いられるレンズ鏡筒であって、
被写体の光学的な像を形成する撮影光学系と、
撮影光学系に含まれ、撮影光学系の光軸に平行な方向へ移動することにより物体距離を変更可能なフォーカスレンズ群と、
フォーカスレンズ群を光軸に平行な方向へ移動させる移動手段と、
移動手段を駆動する駆動手段と、
撮影光学系の光軸に同軸の円筒形状であり、駆動手段を駆動して移動手段によるフォーカスレンズ群を移動するために手動により回転操作される第１の操作部材と、
第１の操作部材に一体的に設けられ、第１の操作部材の手動による回転操作を許容する状態と、禁止する状態とを切り替えるために操作される第２の操作部材とを備える。
【００１３】
以上の構成により、フォーカスモード変更する際に、第１の操作部材から手を離す必要がない。したがって、撮影者にとって操作性のよいレンズ鏡筒を提供することができる。
【００１４】
また、以上の構成により、フォーカスモード設定及びマニュアルフォーカシングを第１の操作部材の操作のみにより行うことができる。したがって、撮影者にとって操作性のよいレンズ鏡筒を提供することができる。
【００１５】
また、以上の構成により、第１の操作部材の回転操作は、マニュアルフォーカシングを行う操作部材としての機能と、フォーカスモードを切り替えるためのスイッチとしての機能との２つの機能を兼用する。したがって、撮影者にとって操作性のよいレンズ鏡筒を提供することができる。また、スイッチを兼用しているため、部品点数を減少させることができる。
【００１６】
上記目的は、以下のレンズ鏡筒により達成される。
被写体の光学的な像を電気的な画像信号に変換可能な撮像装置に用いられるレンズ鏡筒であって、
被写体の光学的な像を形成する撮影光学系と、
撮影光学系の光軸上の所定位置に設けられ、撮影光学系の絞り値を変更可能な絞り装置と、
絞り装置を動作させる駆動手段と、
撮影光学系の光軸に同軸の円筒形状であり、駆動手段を駆動して変更手段による絞り装置の絞り値を変更するために手動により回転操作される第１の操作部材と、
第１の操作部材に一体的に設けられ、第１の操作部材の手動による回転操作を許容する状態と、禁止する状態とを切り替えるために操作される第２の操作部材とを備える。
【００１７】
以上の構成により、撮影者は露出設定モードのうち絞りモードを変更する際に、第１の操作部材から手を離す必要がない。したがって、撮影者にとって操作性のよいレンズ鏡筒を提供することができる。
【００１８】
また、以上の構成により、絞りのモード設定及び絞り値のマニュアル変更を第１の操作部材の操作のみにより行うことができる。したがって、撮影者にとって操作性のよいレンズ鏡筒を提供することができる。
【００１９】
また、以上の構成により、第１の操作部材の回転操作は、絞り値を手動で設定するための操作部材としての機能と、絞りモードを切り替えるためのスイッチとしての機能との２つの機能を兼用する。したがって、撮影者にとって操作性のよいレンズ鏡筒を提供することができる。また、スイッチを兼用しているため、部品点数を減少させることができる。
【００２０】
上記目的は、以下の撮像装置により達成される。
被写体の光学的な像を電気的な画像信号に変換可能な撮像装置であって、
被写体の光学的な像を形成する撮影光学系を含むレンズ鏡筒と、
撮影光学系により形成された光学的な像を電気的な画像信号に変換する撮像センサーと、
制御手段とを備え、
レンズ鏡筒は、
撮影光学系に含まれ、撮影光学系の光軸に平行な方向へ移動することにより物体距離を変更可能なフォーカスレンズ群と、
フォーカスレンズ群を光軸に平行な方向へ移動させる移動手段と、
制御信号に基づき移動手段を駆動する駆動手段と、
撮影光学系の光軸に同軸の円筒形状であり、手動により回転操作される第１の操作部材と、
第１の操作部材に一体的に設けられ、第１の操作部材の手動による回転操作を許容する状態と、禁止する状態とを切り替えるために操作される第２の操作部材と、
第１の操作部材の回転角度に応じた信号を出力する回転角度検知手段とを含み、
制御手段は、
第２の操作部材の操作により、第１の操作部材の回転操作が許容された状態において、第１の操作部材が回転操作された場合、回転角度検知手段の出力した信号に基づいて、フォーカスレンズ群を移動させるための制御信号を生成する。
【００２１】
以上の構成により、撮影者はフォーカスモード変更する際に、フォーカスリング３２から手を離す必要がない。したがって、撮影者にとって操作性のよい撮像装置を提供することができる。
【００２２】
また、以上の構成により、第１の操作部材の回転操作は、マニュアルフォーカシングを行う操作部材としての機能と、フォーカスモードを切り替えるためのスイッチとしての機能との２つの機能を兼用する。したがって、撮影者にとって操作性のよい撮像装置を提供することができる。また、スイッチを兼用しているため、部品点数を減少させることができる。
【００２３】
また、以上の構成により、撮影者はマニュアルフォーカスの際に、わずかのトルクで第１の操作部材を回転させることができる。このため、撮影者の操作性の高い撮像装置を提供することができる。
【００２４】
好ましくは、撮像装置は、さらに、撮影光学系のデフォーカス量を演算する演算手段を備え、
制御手段は、
第２の操作部材の操作により、第１の操作部材の回転操作が禁止された状態において、動作開始が指示された場合、演算手段の演算結果に基づいて、フォーカスレンズ群を移動させるための制御信号を生成する。
【００２５】
以上の構成により、オートフォーカスモードである場合、第１の操作部材は回転しない。したがって、撮影者にとって操作性のよい撮像装置を提供することができる。
【００２６】
具体的には、演算手段のデフォーカス量は、撮像センサーから出力される画像信号に基づいて演算される。
【００２７】
好ましくは、撮影光学系は、ズームレンズ系であり、
撮像装置は、さらに、
撮影光学系のデフォーカス量を演算する演算手段と、
撮影光学系の焦点距離を検知する焦点距離検知手段とを備え、
制御手段は、
第２の操作部材の操作により、第１の操作部材の回転操作が禁止された状態において、動作開始が指示された場合、演算手段の演算結果と焦点距離検知手段の検知結果とに基づいて、フォーカスレンズ群を移動させるための制御信号を生成する。
【００２８】
上記目的は、以下の撮像装置により達成される。
被写体の光学的な像を電気的な画像信号に変換可能な撮像装置であって、
被写体の光学的な像を形成する撮影光学系を含むレンズ鏡筒と、
撮影光学系により形成された光学的な像を電気的な画像信号に変換する撮像センサーと、
制御手段とを備え、
レンズ鏡筒は、
撮影光学系の光軸上の所定位置に設けられ、撮影光学系の絞り値を変更可能な絞り装置と、
制御信号に基づき絞り装置を動作させる駆動手段と、
撮影光学系の光軸に同軸の円筒形状であり、駆動手段を駆動して変更手段による絞り装置の絞り値を変更するために手動により回転操作される第１の操作部材と、
第１の操作部材に一体的に設けられ、第１の操作部材の手動による回転操作を許容する状態と、禁止する状態とを切り替えるために操作される第２の操作部材と、
第１の操作部材の回転角度に応じた信号を出力する回転角度検知手段とを含み、
制御手段は、
第２の操作部材の操作により、第１の操作部材の回転操作が許容された状態において、第１の操作部材が回転操作された場合、回転角度検知手段の出力した信号に基づいて、絞り装置の絞り値を変更させるための制御信号を生成する。
【００２９】
以上の構成により、撮影者は露出設定のうちの絞り値を変更する際、第１の操作部材から手を離す必要がない。したがって、撮影者にとって操作性のよい撮像装置を提供することができる。
【００３０】
また、以上の構成により、第１の操作部材の回転操作は、マニュアルで絞り値設定を行う操作部材としての機能と、露出設定の内の絞り値を切り替えるためのスイッチとしての機能との２つの機能を兼用する。したがって、撮影者にとって操作性のよい撮像装置を提供することができる。また、スイッチを兼用しているため、部品点数を減少させることができる。
【００３１】
また、以上の構成により撮影者はマニュアルによる絞り値設定の際に、わずかのトルクで第１の操作部材を回転させることができる。このため、撮影者の操作性の高い撮像装置を提供することができる。
【００３２】
好ましくは、撮像装置は、さらに、
光量を検知する測光手段と、
測光手段の検知結果に基づいて撮影光学系の絞り値を演算する演算手段とを備え、
制御手段は、
第２の操作部材の操作により、第１の操作部材の回転操作が禁止された状態において、動作開始が指示された場合、演算手段の演算結果に基づいて、絞り装置の絞り値を変更させるための制御信号を生成する。
【００３３】
以上の構成により、オート絞りモードである場合、第１の操作部材は回転しない。したがって、撮影者にとって操作性のよい撮像装置を提供することができる。
【００３４】
具体的には、測光手段は、撮像センサーである。
【００３５】
好ましくは、撮像装置は、さらに、
光量を測定する測光手段と、
シャッタースピードを設定するシャッタースピード設定手段と、
測光手段の検知結果と、シャッタースピード設定手段の設定とに基づいて撮影光学系の絞り値を演算する演算手段とを備え、
制御手段は、
第２の操作部材の操作により、第１の操作部材の回転操作が禁止された状態において、動作開始が指示された場合、演算手段の演算結果に基づいて、絞り装置の絞り値を変更させるための制御信号を生成する。
【００３６】
具体的には、測光手段は、撮像センサーである。
【００３７】
上記目的は、以下のカメラにより達成される。
被写体の光学的な像を電気的な画像信号に変換し、当該画像信号を出力可能なカメラであって、
被写体の光学的な像を形成する撮影光学系とを含むレンズ鏡筒と、
撮影光学系により形成された光学的な像を電気的な画像信号に変換する撮像センサーと、
撮影者にカメラの設定に関する情報を知らせる伝達手段と、
制御手段と、
伝達手段とを備え、
レンズ鏡筒は、
撮影光学系に含まれ、撮影光学系の光軸に平行な方向へ移動することにより物体距離を変更可能なフォーカスレンズ群と、
フォーカスレンズ群を光軸に平行な方向へ移動させる移動手段と、
制御信号に基づき移動手段を駆動する駆動手段と、
撮影光学系の光軸に同軸の円筒形状であり、手動により回転操作される第１の操作部材と、
第１の操作部材に一体的に設けられ、第１の操作部材の手動による回転操作を許容する状態と、禁止する状態とを切り替えるために操作される第２の操作部材と、
第１の操作部材の回転角度に応じた信号を出力する回転角度検知手段とを含み、
制御手段は、
第２の操作部材の操作により、第１の操作部材の回転操作が許容された状態において、第１の操作部材が回転操作された場合、回転角度検知手段の出力した信号に基づいて、フォーカスレンズ群を移動させるための制御信号を生成し、
伝達手段は、
第２操作部材の操作により、第１の操作部材の回転操作が許容された状態にあるとき、第１の操作部材の回転操作によりフォーカスレンズ群が移動するマニュアルフォーカスモードの状態にあることを撮影者に伝達する。
【００３８】
以上の構成を備えているので、撮影者は第１の操作部材が手動で回転操作が可能であることを認識することができる。したがって、撮影を行う際の誤操作を防止することができ、撮影者にとって操作性のよい撮像装置を提供することができる。
【００３９】
好ましくは、伝達手段は、
第２操作部材の操作により、第１の操作部材の回転操作が禁止された状態にあるとき、フォーカスレンズ群が自動で移動するオートフォーカスモードの状態にあることを撮影者に伝達する。
【００４０】
好ましくは、伝達手段は、画像表示手段による撮影モードの表示である。具体的には、画像表示手段は、液晶モニタである。好ましくは、伝達手段は、スピーカから発するアラーム音であってもよい。
【００４１】
上記目的は、以下のカメラにより達成される。
被写体の光学的な像を電気的な画像信号に変換し、当該画像信号を出力可能なカメラであって、
被写体の光学的な像を形成する撮影光学系とを含むレンズ鏡筒と、
撮影光学系により形成された光学的な像を電気的な画像信号に変換する撮像センサーと、
撮影者にカメラの設定に関する情報を知らせる伝達手段と、
制御手段と、
撮像センサーから出力される画像信号を記録する画像記録手段とを備え、
レンズ鏡筒は、
撮影光学系に含まれ、撮影光学系の光軸に平行な方向へ移動することにより物体距離を変更可能なフォーカスレンズ群と、
フォーカスレンズ群を光軸に平行な方向へ移動させる移動手段と、
制御信号に基づき移動手段を駆動する駆動手段と、
撮影光学系の光軸に同軸の円筒形状であり、手動により回転操作される第１の操作部材と、
第１の操作部材に一体的に設けられ、第１の操作部材の手動による回転操作を許容する状態と、禁止する状態とを切り替えるために操作される第２の操作部材と、
第１の操作部材の回転角度に応じた信号を出力する回転角度検知手段とを含み、
制御手段は、
第２の操作部材の操作により、第１の操作部材の回転操作が許容された状態において、第１の操作部材が回転操作された場合、回転角度検知手段の出力した信号に基づいて、フォーカスレンズ群を移動させるための制御信号を生成し、
画像記録手段は、
第２操作部材の操作により、第１の操作部材の回転操作が許容された状態にあるとき、記録されるべき画像信号とともに、第１の操作部材の回転操作によりフォーカスレンズ群が移動するマニュアルフォーカスモードの状態にあることを含む情報を記録する。
【００４２】
以上の構成を備えているので、撮影者は第１の操作部材が手動で回転操作が可能であるときに撮影した画像信号について、撮影モードを画像信号とともに記録することができる。したがって、特に設定することになく撮影した画像信号に付加される情報を充実させることができ、撮影者にとって操作性のよい撮像装置を提供することができる。
【００４３】
好ましくは、画像記録手段は、
第２操作部材の操作により、第１の操作部材の回転操作が禁止された状態にあるとき、記録されるべき画像信号とともに、フォーカスレンズ群が自動で移動するオートフォーカスモードの状態にあることを含む情報を記録する。
【００４４】
上記目的は、以下のカメラにより達成される。
被写体の光学的な像を電気的な画像信号に変換し、当該画像信号を出力可能なカメラであって、
被写体の光学的な像を形成する撮影光学系とを含むレンズ鏡筒と、
撮影光学系により形成された光学的な像を電気的な画像信号に変換する撮像センサーと、
撮影者にカメラの設定に関する情報を知らせる伝達手段と、
制御手段とを備え、
レンズ鏡筒は、
撮影光学系の光軸上の所定位置に設けられ、撮影光学系の絞り値を変更可能な絞り装置と、
制御信号に基づき絞り装置を動作させる駆動手段と、
撮影光学系の光軸に同軸の円筒形状であり、駆動手段を駆動して変更手段による絞り装置の絞り値を変更するために手動により回転操作される第１の操作部材と、
第１の操作部材に一体的に設けられ、第１の操作部材の手動による回転操作を許容する状態と、禁止する状態とを切り替えるために操作される第２の操作部材と、
第１の操作部材の回転角度に応じた信号を出力する回転角度検知手段とを含み、
制御手段は、
第２の操作部材の操作により、第１の操作部材の回転操作が許容された状態において、第１の操作部材が回転操作された場合、回転角度検知手段の出力した信号に基づいて、絞り装置の絞り値を変更させるための制御信号を生成し、
伝達手段は、
第２操作部材の操作により、第１の操作部材の回転操作が許容された状態にあるとき、第１の操作部材の回転操作により絞り装置が駆動されるマニュアル絞りモードの状態にあることを撮影者に伝達する。
【００４５】
以上の構成を備えているので、撮影者は第１の操作部材が手動で回転操作が可能であることを認識することができる。したがって、撮影を行う際の誤操作を防止することができ、撮影者にとって操作性のよい撮像装置を提供することができる。
【００４６】
好ましくは、伝達手段は、
第２操作部材の操作により、第１の操作部材の回転操作が禁止された状態にあるとき、絞り装置が自動で駆動されるオート絞りモードの状態にあることを撮影者に伝達する。
【００４７】
具体的には、伝達手段は、画像表示手段による撮影モードの表示である。例えば、画像表示手段は、液晶モニタである。また、具体的は、伝達手段は、スピーカから発するアラーム音である。
【００４８】
上記目的は、以下のカメラにより達成される。
被写体の光学的な像を電気的な画像信号に変換し、当該画像信号を出力可能なカメラであって、
被写体の光学的な像を形成する撮影光学系とを含むレンズ鏡筒と、
撮影光学系により形成された光学的な像を電気的な画像信号に変換する撮像センサーと、
撮影者にカメラの設定に関する情報を知らせる伝達手段と、
制御手段と、
撮像センサーから出力される画像信号を記録する画像記録手段とを備え、
レンズ鏡筒は、
撮影光学系の光軸上の所定位置に設けられ、撮影光学系の絞り値を変更可能な絞り装置と、
制御信号に基づき絞り装置を動作させる駆動手段と、
撮影光学系の光軸に同軸の円筒形状であり、駆動手段を駆動して変更手段による絞り装置の絞り値を変更するために手動により回転操作される第１の操作部材と、
第１の操作部材に一体的に設けられ、第１の操作部材の手動による回転操作を許容する状態と、禁止する状態とを切り替えるために操作される第２の操作部材と、
第１の操作部材の回転角度に応じた信号を出力する回転角度検知手段とを含み、
制御手段は、
第２の操作部材の操作により、第１の操作部材の回転操作が許容された状態において、第１の操作部材が回転操作された場合、回転角度検知手段の出力した信号に基づいて、絞り装置の絞り値を変更させるための制御信号を生成し、
画像記録手段は、
第２操作部材の操作により、第１の操作部材の回転操作が許容された状態にあるとき、記録されるべき画像信号とともに、第１の操作部材の回転操作により絞り装置が駆動されるマニュアル絞りモードの状態にあることを含む情報を記録する。
【００４９】
以上の構成を備えているので、撮影者は第１の操作部材が手動で回転操作が可能であるときに撮影した画像信号について、撮影モードを画像信号とともに記録することができる。したがって、特に設定することになく撮影した画像信号に付加される情報を充実させることができ、撮影者にとって操作性のよい撮像装置を提供することができる。
【００５０】
好ましくは、画像記録手段は、
第２操作部材の操作により、第１の操作部材の回転操作が禁止された状態にあるとき、記録されるべき画像信号とともに、絞り装置が自動で駆動されるオート絞りモードの状態にあることを含む情報を記録する。
【発明の効果】
【００５１】
本発明によれば、マニュアル操作部材を備えながら、撮影者の操作性を向上させ、部品点数が削減されたレンズ鏡筒およびレンズ鏡筒を備えた撮像装置、ならびに撮像装置を備えたカメラを提供することができる
【発明を実施するための最良の形態】
【００５２】
図１は、本発明の実施形態に係るデジタルカメラの上面図である。デジタルカメラは、概略、撮像装置ＴＬと、本体ＢＤとを備える。
【００５３】
本体ＢＤは、被写体を撮影する際に撮影者により支持される筐体である。本体ＢＤは、シャッターボタン６４と、シャッタースピード設定ダイヤル６５とを含む。シャッターボタン６４と、シャッタースピード設定ダイヤル６５とは、本体ＢＤの上面の右側に設けられている。
【００５４】
シャッタースピード設定ダイヤル６５は、回転操作することにより、シャッタースピードの設定を行う操作部材である。また、シャッタースピード設定ダイヤル６５は、シャッタースピードが自動設定されるオートの位置を有する。
【００５５】
また、本体ＢＤは、液晶モニタＬＣＤと、スピーカＳＰとを含む。液晶モニタＬＣＤと、スピーカＳＰとは、本体ＢＤの撮影者側の面に設けられている。液晶モニタＬＣＤ及びスピーカＳＰの作用については後述する。
【００５６】
撮像装置ＴＬは、レンズ鏡筒４６と、撮像センサー１６とを含む。レンズ鏡筒４６は、内部に後述する撮影光学系Ｌを保持する。撮像センサー１６は、ＣＣＤである。撮像センサー１６は、撮影光学系Ｌが形成する光学的な像を電気的な画像信号に変換する。
【００５７】
なお、実施形態のすべての説明において、撮影光学系Ｌの光軸ＡＸを基準に座標系を定める。すなわち、撮影光学系Ｌの光軸ＡＸに平行な方向をｚ方向とし、このｚ方向に垂直で図１の上面図に平行な面に含まれる方向をｘ方向とする。また、ｚ方向及びｘ方向の両方向に垂直な方向をｙ方向とする。このｘｙｚ座標系は、３次元直交座標系である。
【００５８】
レンズ鏡筒４６は、最も被写体側に、フィルタマウント２９を持つ。レンズ鏡筒４６は、フィルタマウント２９から本体ＢＤ側へ（ｚ軸の負の方向）向けて順に、ズームリング２６と、フォーカスリング３２と、絞りリング４０とを有する。ズームリング２６と、フォーカスリング３２と、絞りリング４０とは、いずれも円筒状の回転操作部材であり、レンズ鏡筒４６の外周面において回転可能に配置されている。
【００５９】
フォーカスリング３２は、フォーカスモード切り換えボタン３７を有する。フォーカスモード切り換えボタン３７は、フォーカスリング３２に一体的に設けられた押しボタンスイッチである。絞りリング４０は、絞り切り換えボタン４３を有する。絞り切り換えボタン４３は、絞りリング４０に一体的に設けられた押しボタンスイッチである。レンズ鏡筒４６は、フォーカスリング３２及び絞りリング４０の回転操作による現在位置を示す指標３３と、ズームリング２６の回転操作による現在位置を示す指標３３とを表示している。フィルタマウント２９と、ズームリング２６と、フォーカスリング３２と、絞りリング４０等の動作及び構造については、さらに後述する。
【００６０】
図２は、本発明の実施形態に係るデジタルカメラの撮影光学系の構成図である。実施形態のデジタルカメラの撮影光学系Ｌは、撮影倍率が変更可能なズームレンズ系である。図２（ａ）は、撮影光学系Ｌの広角端（最短焦点距離状態）の無限遠合焦状態におけるレンズ構成図を示す。図２（ｂ）は、撮影光学系Ｌの望遠端（最長焦点距離状態）の無限遠合焦状態におけるレンズ構成図を示す。
【００６１】
撮影光学系Ｌは、被写体側から像側へ（ｚ軸の負の方向へ）向けて順に、第１レンズ群Ｌ１と、第２レンズ群Ｌ２と、第３レンズ群Ｌ３と、第４レンズ群Ｌ４と、第５レンズ群Ｌ５とを含む。なお、第５レンズ群Ｌ５の像側にある直線は、撮影光学系Ｌが形成する光学的な像の像面の位置である。
【００６２】
図中付された矢印は、第２乃至第５レンズ群の広角端から望遠端へのズーミングの際の移動軌跡を表す。また、第５レンズ群Ｌ５の移動軌跡において、無限大記号が付された矢印は、物体距離が無限遠の合焦状態の移動軌跡を示す。同様に、０．３ｍの文字が付された矢印は、物体距離が０．３ｍの合焦状態の移動軌跡を、０．６ｍの文字が付された矢印は、物体距離が０．６ｍの合焦状態の移動軌跡をそれぞれ示す。
【００６３】
各レンズ群のうち、第１レンズ群Ｌ１と、第２レンズ群Ｌ２と、第３レンズ群Ｌ３と、第４レンズ群Ｌ４とは、主としてズーミングを担当するズームレンズ群である。また、第５レンズ群Ｌ５は、主としてズーミングによる像面位置の光軸ＡＸに平行な方向への移動とフォーカシングを担当するフォーカスレンズ群である。そして、第１乃至第５レンズ群が協働して、被写体の光学的な像を形成する。
【００６４】
第１レンズ群Ｌ１は、２枚のレンズ素子を接合した接合レンズ素子１枚からなる。第１レンズ群Ｌ１は、広角端から望遠端へのズーミングの際、像面の位置に対して移動しない。第２レンズ群Ｌ２は、１枚のレンズ素子からなる。第２レンズ群Ｌ２は、広角端から望遠端へのズーミングの際、像側に凸の移動軌跡に従いながら光軸ＡＸに沿って移動する。第３レンズ群Ｌ３は、４枚のレンズ素子からなる。第３レンズ群Ｌ３は、広角端から望遠端へのズーミングの際、わずかに像側に凸の像側に向かう移動軌跡に従いながら光軸ＡＸに沿って移動する。第４レンズ群Ｌ４は、２枚のレンズ素子を接合した接合レンズを２枚含み、２枚の接合レンズと１枚の単レンズとからなる。第４レンズ群Ｌ４は、広角端から望遠端へのズーミングの際、わずかに像側に凸の像側に向かう移動軌跡に従いながら光軸ＡＸに沿って移動する。第５レンズ群Ｌ５は、１枚の単レンズ素子からなる。第５レンズ群Ｌ５は、広角端から望遠端へのズーミングの際、ほぼ単調に被写体側に向かう移動軌跡に従いながら光軸ＡＸに沿って移動する。
【００６５】
第５レンズ群Ｌ５は、物体距離が近くなるほど被写体側への移動量が大きくなる。すなわち、任意の焦点距離において、物体距離が無限遠の合焦状態から近接側の合焦状態へフォーカシング調整を行う場合、第５レンズ群Ｌ５は被写体側へ移動する。
【００６６】
図３は、本発明の実施形態に係る撮像装置ＴＬの断面図である。図３は、光軸を含むｙｚ平面に平行な面により、撮像装置ＴＬを切断した断面図である。図３は、レンズ鏡筒４６の撮影光学系Ｌが広角端にあるときの断面図である。
【００６７】
レンズ鏡筒４６は、概略、撮影光学系Ｌを保持するレンズユニット２と、フィルタマウント２９と、リングユニット２５とから構成される。図４は、本発明の実施形態に係るレンズユニットの分解斜視図である。図３及び図４において、レンズユニット２は、概略、第１レンズ群固定枠３と、３本のガイドポール４ａ，４ｂ，４ｃと、マスターフランジ５と、第２レンズ移動枠６と、リングワッシャ２３と、カム筒７と、第３レンズ移動枠９と、絞り装置２２と、第４レンズ移動枠１１と、第５レンズ移動枠１３とを含む。
【００６８】
第１レンズ群固定枠３は、円筒状を有し、光軸ＡＸの被写体側の方向（ｚ軸の正の方向に第１レンズ群Ｌ１を固定する。第１レンズ群固定枠３は、ｚ軸に平行な３本のガイドポール４ａ，４ｂ，４ｃの一端を保持する。第１レンズ群固定枠３は、円筒の第１レンズ群Ｌ１が固定されていない部分に外周面に沿って所定の中心角に対応して形成された長穴の開口部３ｂを有する。
【００６９】
第１レンズ群固定枠３は、外周面に、ズームリニアセンサ２１を固定する。第１レンズ群固定枠３は、ズームリニアセンサ２１に対応する位置に、光軸ＡＸに平行な方向に形成された長穴の開口部３ａを有する。ズームリニアセンサ２１の詳細な構造については、後述する。
【００７０】
第１レンズ群固定枠３は、外周面に外周方向に突出して形成された、リブ３ｃと、リブ３ｄと、リブ３ｅと、リブ３ｆとを有する。各リブは、外周面の所定位置に形成されており、後述するフィルタマウント及びリングユニットの位置決めの基準となる。
【００７１】
マスターフランジ５は、光軸ＡＸに垂直な面と、光軸ＡＸに平行に延びた円筒部とを有する。マスターフランジ５は、円筒部に３本のガイドポール４ａ，４ｂ，４ｃの他端を保持する。マスターフランジ５は、光軸ＡＸに垂直な面に長方形の開口を有しており、この開口部分に、撮像センサー１６が固定される。なお、撮像センサー１６は、受光部の被写体側に、ローパスフィルタ１６ｂが挟まれて固定される。
【００７２】
また、マスターフランジ５は、ｙ方向の負方向の底部に、フォーカスモータ１５を固定する。フォーカスモータ１５は、光軸ＡＸに平行なｚ軸の正方向に延びた回転軸を持つ。フォーカスモータ１５は、回転軸に送りネジ１５ａが形成されている。
【００７３】
第２レンズ移動枠６は、第２レンズ群Ｌ２を保持する。第２レンズ移動枠６は、外周部近傍に、貫通孔である回り止め部６ｂと光軸ＡＸに平行な方向に延びた貫通孔である軸受け部６ａとを有する。ガイドポール４ｂは、軸受け部６ａを貫通する。ガイドポール４ａは、回り止め部６ｂを貫通する。
【００７４】
ガイドポール４ｂと軸受け部６ａとは、所定の嵌め合い精度で結合する。ガイドポール４ｂと軸受け部６ａとにより、第２レンズ移動枠６は、光軸ＡＸに対する姿勢を維持してｚ軸に平行な方向に移動可能に支持される。また、第２レンズ移動枠６は、ガイドポール４ａが回り止め部６ｂに貫通されることにより、ｚ軸に垂直なｘｙ面に平行な面内の回転自由度が規制される。
【００７５】
第２レンズ移動枠６は、外周方向に突き出たカムピン８を有する。カムピン８は、第２レンズ移動枠６の外周面の所定位置にネジにより固定されている。
【００７６】
第３レンズ移動枠９は、第３レンズ群Ｌ３を保持する。第３レンズ移動枠９は、外周部近傍に、貫通孔である回り止め部９ｂ及び光軸ＡＸに平行な方向に延びた貫通孔である軸受け部９ａとを有する。ガイドポール４ｃは、軸受け部９ａを貫通する。ガイドポール４ａは、回り止め部９ｂを貫通する。
【００７７】
軸受け部９ａとガイドポール４ｃとは、所定の嵌め合い精度で結合する。第３レンズ移動枠９は、軸受け部９ａとガイドポール４ｃとにより、光軸ＡＸに対する姿勢を維持してｚ軸に平行な方向に移動可能に支持される。また、第３レンズ移動枠９は、ガイドポール４ａが回り止め部９ｂに貫通されることにより、ｚ軸に垂直なｘｙ面に平行な面内の回転自由度が規制される。
【００７８】
第３レンズ移動枠９は、軸受け部９ａの位置に外周方向に突き出たカムピン１０を有する。カムピン１０は、第３レンズ移動枠９の外周面に光軸ＡＸに垂直な方向からネジにより固定されている。
【００７９】
図５は、本発明に係るレンズ鏡筒の第３レンズ移動枠の軸受け部付近の部分断面図である。図５において、第３レンズ移動枠９のカムピン１０は、先端に嵌合穴１０ａを有している。なお、図５では、カム筒７は説明を簡単にするため、省略している。
【００８０】
嵌合穴１０ａには、ズームリニアセンサ２１の摺動子２１ａが挿入されている。嵌合穴１０ａは外周面からみて円形断面を有する。摺動子２１ａは、光軸ＡＸに平行な方向（ｚ軸の方向）に延びた長方形断面を有する。摺動子２１ａは、嵌合穴１０ａの内部でガタなく挿入される。
【００８１】
図６（ａ）は、本発明の実施形態のレンズ鏡筒のズームリニアセンサの回路図である。また、図６（ｂ）は、本発明の実施形態のレンズ鏡筒のズームリニアセンサの出力を表すグラフである。ズームリニアセンサ２１は、可変抵抗器である。ズームリニアセンサ２１は、第１端子と第３端子との間に所定の電圧を印可した状態で摺動子２１ａを図示しない磁気抵抗体上をスライドさせると、端子２から出力する出力値が変化する。図６（ｂ）からわかるように、摺動子２１ａの移動ストロークと第２端子の出力とは、１次関数の関係にある。
【００８２】
第３レンズ移動枠９が光軸ＡＸに平行な方向（ｚ軸の方向）に移動すると、カムピン１０に挿入された摺動子２１ａが光軸ＡＸに平行な方向（ｚ軸の方向）に移動する。摺動子２１ａが移動すると、ズームリニアセンサ２１の第２端子からの出力に基づいて、第３レンズ移動枠９の移動を検出することができる。第３レンズ群Ｌ３は、図２を用いて説明したように、広角端から望遠端へのズーミングに際して像側へ移動する。このため。ズームリニアセンサ２１が第３レンズ移動枠９の移動を検出することにより、撮影光学系Ｌの焦点距離を検出することができる。
【００８３】
第４レンズ移動枠１１は、第４レンズ群Ｌ４を保持する。第４レンズ移動枠１１は、中心に第４レンズ群Ｌ４を保持するための円筒部を持ち、他部分は光軸ＡＸに垂直な円板状である。第４レンズ移動枠１１は、円板の所定位置に貫通孔である軸受け部１１ａと回り止め部１１ｂとを有する。ガイドポール４ａは、軸受け部１１ａを貫通する。ガイドポール４ｂは、回り止め部１１ｂを貫通する。このため、第４レンズ移動枠１１は、ｚ軸まわりの回転自由度が規制された状態でｚ軸に平行な方向に移動可能に支持される。
【００８４】
第４レンズ移動枠１１は、軸受け部１１ａの位置に外周方向に突き出たカムピン１２を有する。カムピン１２は、第４レンズ移動枠１１の外周面にネジにより固定されている。このように、本実施形態のレンズ鏡筒４６は、第２レンズ移動枠６と、第４レンズ移動枠１１と、第５レンズ移動枠１３とに形成された各軸受け部にガイドポール４ｂを貫通させている。一方、本実施形態のレンズ鏡筒４６は、第３レンズ移動枠９に形成された軸受け部９ａにガイドポール４ｃを貫通させている。
【００８５】
第５レンズ移動枠１３は、第５レンズ群Ｌ５を保持する。第５レンズ移動枠１３は、中心に第５レンズ群Ｌ５を保持するための円筒部を持ち、他部分は円板状である。第５レンズ移動枠１３は、円板の所定位置に貫通孔である軸受け部１３ａと回り止め部１３ｂとを有する。ガイドポール４ａは、軸受け部１３ａを貫通する。ガイドポール４ｂは、回り止め部１３ｂを貫通する。このため、第５レンズ移動枠１３は、ｚ軸まわりの回転自由度が規制された状態でｚ軸に平行な方向に移動可能に支持される。
【００８６】
第５レンズ移動枠１３は、軸受け部１３ａからｙ方向の負の方向に延びたラック支持部１４を有する。ラック支持部１４は、先端に光軸ＡＸに平行な方向（ｚ軸の方向）に形成されたラック１４ａを持つ。ラック１４ａは、前述したフォーカスモータ１５の送りネジ１５ａに噛み合っている。
【００８７】
フォーカスモータ１５は、入力される駆動信号に基づいて回転する。フォーカスモータ１５が回転すると、送りネジ１５ａ及びラック１４ａにより回転運動が光軸ＡＸに平行な方向（ｚ軸の方向）の直線運動に変換される。直線運動に変換された結果、第５レンズ移動枠１３が移動する。
【００８８】
ところで、各レンズ移動枠に形成された各軸受け部は、各レンズ移動枠が光軸ＡＸに平行な方向に移動する際の軸受けの機能を有している。各レンズ移動枠が光軸に平行な方向に姿勢を維持しながら移動するため、各軸受け部は、光軸ＡＸに平行な方向（ｚ軸の方向）の貫通孔を長くすることが望ましい。
【００８９】
レンズ鏡筒４６は、隣接する第２レンズ移動枠６及び第３レンズ移動枠９が、それぞれ異なるガイドポールを貫通させているので、回転止め部の光軸ＡＸに平行な方向（ｚ軸の方向）の貫通孔を十分長くすることができる。第３レンズ移動枠９及び第４レンズ移動枠１１についても同様に、それぞれ異なるガイドポールを貫通させているので、回転止め部の光軸ＡＸに平行な方向（ｚ軸の方向）の貫通孔を十分長くすることができる。
【００９０】
絞り装置２２は、第４レンズ移動枠１１の光軸ＡＸに垂直な円板に固定される。絞り装置２２は、図示しない絞り羽根と、絞り駆動モータ２２ａと、図示しないシャッター羽根と、シャッター駆動モータ２２ｂとを有する。
【００９１】
絞り駆動モータ２２ａは、外部から入力される駆動信号に基づいて回転することにより、絞り羽根を駆動する。絞り羽根は、駆動されることにより開口径を変更するように構成されている。絞り羽根の動作により撮影光学系Ｌの絞り値が変更される。
【００９２】
シャッター駆動モータ２２ｂは、外部から入力される駆動信号に基づいて回転することにより、シャッター羽根を駆動する。シャッター羽根は、駆動されることにより撮影光学系の光路を、所定時間の間隔で非解放から解放を経て再び非解放にする一連の動作を行う。
【００９３】
カム筒７は、その外周面と第１レンズ群固定枠３の内周面の所定位置とが所定の精度で嵌め合うことにより光軸ＡＸまわりに回転可能に支持される。カム筒７は、内周面と外周面とを貫通する、３本のカム溝１７と、カム溝１８と、カム溝１９とを含む。
【００９４】
カム溝１７は、第２レンズ移動枠６に設けられたカムピン８と結合する。カム溝１８は、第３レンズ移動枠９に設けられたカムピン１０と結合する。カム溝１９は、第４レンズ移動枠１１に設けられたカムピン１２と結合する。
【００９５】
図７は、本発明の実施形態に係るレンズ鏡筒のカム筒の展開図である。図７において、紙面下側が、光軸ＡＸの被写体側の方向（ｚ軸の正の方向）に相当する。
【００９６】
カム溝１７の一方の端部１７ａは、第２レンズ群Ｌ２の広角端の位置に対応する。カム溝１８の一方の端部１８ａは、第３レンズ群Ｌ３の広角端の位置に対応する。カム溝１９の一方の端部は、第４レンズ群Ｌ４の広角端の位置に対応する。
【００９７】
カム溝１７の他方の端部１７ｂは、第２レンズ群Ｌ２の望遠端の位置に対応する。カム溝１８の他方の端部１８ａは、第３レンズ群Ｌ３の望遠端の位置に対応する。カム溝１９の他方の端部は、第４レンズ群Ｌ４の望遠端の位置に対応する。
【００９８】
カム溝１７の端部１７ａから端部１７ｂまでと、カム溝１８の端部１８ａから端部１８ｂまでと、カム溝１８の端部１８ａから端部１８ｂまでとは、すべてカム筒１７の外周面においてほぼ１００度の中心角に対応する。
【００９９】
リングワッシャ２３は、カム筒７と第１レンズ群固定枠３との間に配置される。リングワッシャ２３は、ステンレスを材料とする円筒状の板バネである。リングワッシャ２３は、カム筒７と第１レンズ群固定枠３との間の空間で、光軸ＡＸに平行な方向に圧縮されることにより、光軸ＡＸに平行な方向にカム筒７を付勢する。
【０１００】
各カム溝は、図２を用いて説明した撮影光学系の構成に従って、各レンズ群が移動するように形成される。したがって、第２レンズ群Ｌ２と、第３レンズ群Ｌ３と、第４レンズ群Ｌ４とは、カム筒７を回転させることにより各焦点距離に対応した位置に移動する。
【０１０１】
カム筒７は、カム筒回転ピン２０を持つ。カム筒回転ピン２０は、カム筒７の外周面に光軸ＡＸに対して垂直な方向に向けてネジ止めされている。カム筒回転ピン２０は、第１レンズ移動枠３に形成された開口部３ａから、レンズユニット２の外周面に突出している。
【０１０２】
図８は、本発明の実施形態に係るフィルタマウント及びリングユニットの分解斜視図である。図３及び図８において、フィルタマウント２９は円筒状を有する。フィルタマウント２９は、ｚ軸の正方向（被写体側）に、偏光フィルタや保護フィルタ等の光学フィルタ及びコンバージョンレンズを取り付けるための雌ねじが形成されている。
【０１０３】
フィルタマウント２９は、光軸ＡＸの被写体側の方向（ｚ軸の正の方向）から３本の取り付けネジ３０により後述するズームリングユニット２８の第１のリング固定枠２７に固定される。飾りリング３１が、取り付けネジ３０が撮影者からみえないように、光軸ＡＸの被写体側の方向（ｚ軸の正の方向）から両面テープで接着される。
【０１０４】
図３及び図８において、リングユニット２５は、ズームリングユニット２８と、マニュアルリングユニット４５とを含む。ズームリングユニット２８は、ズームリング２６と、第１のリング固定枠２７とを有する。ズームリング２６及び第１のリング固定枠２７は、共に円筒状である。ズームリング２６は、内周部に３個の凸部２６ａを有する。第１のリング固定枠２７は、外周部に３個の凹部２７ａを持つフランジ部と、３個のビス穴２７ｂとを有する。３個のビス穴２７ｂは、ｚ軸の正方向側（被写体側）の端面に形成される。
【０１０５】
ズームリング２６の３個の凸部２６ａと第１のリング固定枠２７の凹部２７ａとを一致させた状態で、ズームリング２６を光軸ＡＸに平行な方向の像側（ｚ軸の負の方向）から第１のリング固定枠２７に挿入する。その後、ズームリング２６を光軸ＡＸまわりに回転することにより、ズームリング２６は第１のリング固定枠２７に対して、光軸ＡＸに平行な方向（ｚ軸の方向）は規制されたまま、光軸ＡＸまわりに回転自在に保持される。
【０１０６】
また、ズームリング２６の内周面には、図３にのみ図示されている周面上に並べて配置された二股状の突起部２６ｂが設けられる。二股状の突起部２６ｂは、カム筒７に固定されたカム筒回転ピン２０と、その両側を挟むように結合する。また、ズームリング２６は、外周面に撮影光学系の焦点距離が表示されている。
【０１０７】
マニュアルリングユニット４５は、第２のリング固定枠３８と、フォーカスリング３２と、第３のリング固定枠３６と、絞りリング４０と、第４のリング固定枠４４とを有する。マニュアルリングユニット４５は、第３のリング固定枠３６をフレームとして他の部材を保持する。第３のリング固定枠３６は、外周面に摺動面３６ｃと、摺動面３６ｅと、端面３６ｄとを持つ。また、第３のリング固定枠３６は、内周面に係止部３６ａ及び外周面に３個の凹部３６ｆとが形成されている。
【０１０８】
摺動面３６ｃは、第３のリング固定枠３６の光軸ＡＸに平行な方向の被写体側（ｚ軸の正方向）の外周面に形成される。摺動面３６ｅは、第３のリング固定枠３６の光軸ＡＸに平行な方向の像側（ｚ軸の負方向）の外周面に形成される。端面３６ｄは、摺動面３６ｃ及び摺動面３６ｅの境界に形成されたｘｙ面に平行な面である。
【０１０９】
第３のリング固定枠３６は、外周面の底部にフォーカスリニアセンサ３５と、絞りリニアセンサ４１とを固定する。フォーカスリニアセンサ３５と、絞りリニアセンサ４１とは、先に説明したズームリニアセンサ２１と、同一の回路構成からなる可変抵抗である。
【０１１０】
フォーカスリニアセンサ３５は、摺動子３５ａを有する。摺動子３５ａは、磁気抵抗上をスライドするスライダであり、外周方向に突出する。絞りリニアセンサ４１は、摺動子３５ａを有する。摺動子４１ａは、磁気抵抗上をスライドするスライダであり、外周方向に突出する。
【０１１１】
第２のリング固定枠３８は、円筒形状である。第２のリング固定枠３８は、係止部３８ａと、位置決め部３８ｂと、端面３８ｃとが設けられている。
【０１１２】
フォーカスリング３２は、円筒形状である。図９（ａ）は、本発明の実施形態に係るフォーカスリングの外周面の展開図、図９（ｂ）は、本発明の実施形態に係るフォーカスリングの内周面の展開図である。
【０１１３】
図８及び図９（ａ）において、フォーカスリング３２は、外周面に物点距離を表示する。物点距離の表示領域は４つの領域に分かれている。図９（ａ）中、［０．３］から［０．６］の表示部分が手動によりフォーカスリング３２の操作が許容されるマクロ撮影領域に対応する。また、［０．６］から［∞］の表示部分が手動によりフォーカスリング３２の操作が許容される通常撮影領域に対応する。また、［ＡＦ］の表示部分が手動によりフォーカスリング３２の操作が禁止される通常撮影領域に対応する。また、［ＡＦ−Ｍａｃｒｏ］の表示部分が手動によりフォーカスリング３２の操作が禁止されるマクロ撮影領域に対応する。図８及び図９（ｂ）において、フォーカスリング３２は、内周面に直線のカム溝３４を持つ。カム溝３４は、フォーカスリニアセンサ３５の摺動子３５ａと結合する。
【０１１４】
図１０は、本発明の実施形態に係るフォーカスリングとフォーカスリニアセンサの結合を示す断面図である。図１０において、フォーカスリング３２に形成されたカム溝３４は、フォーカスリニアセンサ３５の摺動子３５ａと結合する。フォーカスリング３２の内周面は、第３のリング固定枠３６の摺動面３６ｃと嵌め合い保持される。フォーカスリング３２は、光軸ＡＸに平行な方向（ｚ軸の方向）において、第２のリング固定枠３８の端面３８ｃと、第３のリング固定枠３６の端面３６ｄにより規制される。第２のリング固定枠３８は、第３のリング固定枠３６に固定される。この構成により、フォーカスリング３２は、光軸ＡＸまわりに回転可能に保持される。
【０１１５】
図１１は、本発明の実施形態に係るフォーカスリングの回転角度とフォーカスリニアセンサの出力値の関係を示すグラフである。図９及び図１０において、フォーカスリング３２上に表示された文字［０．３］が、指標３３と一致する角度に位置する場合、フォーカスリニアセンサ３５の摺動子３５ａは、カム溝３４上のＡの位置にある。その場合、フォーカスリニアセンサ３５の出力値は、Ａ‘となる。
【０１１６】
フォーカスリング３２上に表示された文字［０．６］が、指標３３と一致する角度に位置する場合、フォーカスリニアセンサ３５の摺動子３５ａは、カム溝３４上のＢの位置にある。その場合、フォーカスリニアセンサ３５の出力値は、Ｂ‘となる。フォーカスリング３２上に表示された文字［∞］が、指標３３と一致する角度に位置する場合、フォーカスリニアセンサ３５の摺動子３５ａは、カム溝３４上のＣの位置にある。その場合、フォーカスリニアセンサ３５の出力値は、Ｃ‘となる。フォーカスリング３２上に表示された文字［ＡＦ］が、指標３３と一致する角度に位置する場合、フォーカスリニアセンサ３５の摺動子３５ａは、カム溝３４上のＤの位置にある。その場合、フォーカスリニアセンサ３５の出力値は、Ｄ‘となる。フォーカスリング３２上に表示された文字［ＡＦ−Ｍａｃｒｏ］が、指標３３と一致する角度に位置する場合、フォーカスリニアセンサ３５の摺動子３５ａは、カム溝３４上のＥの位置にある。その場合、フォーカスリニアセンサ３５の出力値は、Ｅ‘となる。
【０１１７】
このように、フォーカスリニアセンサ３５は、フォーカスリング３２の回転角度と一対一で対応する出力を示す。したがって、フォーカスリング３２の回転角度を検出することができる。フォーカスリニアセンサ３５は、回転角度に応じたフォーカス位置信号を電圧変化として出力する。
【０１１８】
フォーカスリング３２は、外周面にフォーカスモード切り替えボタン３７を持つ。図１４（ａ）は、本発明の実施形態に係るフォーカスリングが第１の停止位置にある場合の略断面図である。また、図１４（ｂ）は、本発明の実施形態に係るフォーカスリングが第１の停止位置と第２の停止位置との間にある場合の略断面図である。また、図１４（ｃ）は、本発明の実施形態に係るフォーカスリングが第２の停止位置にある場合の略断面図である。
【０１１９】
なお、図中かっこで記した符号は、絞りリング４０の構造を説明する場合に相当するため、フォーカスリング３２の構造に関連する説明では無視してよい。また、図１４（ａ）〜（ｃ）の（１）は、フォーカスモード切り替えボタン３７の中心を通り光軸ＡＸを含む平面でカットした略断面図である。また、図１４（ａ）〜（ｃ）の（１）は、フォーカスモード切り替えボタン３７の中心を通り光軸ＡＸに垂直な面（ｘｙ面）でカットした略断面図である。
【０１２０】
図中に矢印Ｋで示した方向は、光軸ＡＸ回りの回転方向を示す。フォーカスリング３２において、第１の停止位置は、図９（ａ）に示す文字［∞］の位置に相当する。また、フォーカスリング３２において、第２の停止位置は、図９（ａ）に示す文字［ＡＦ］の位置に相当する。
【０１２１】
フォーカスモード切り替えボタン３７は、フォーカスリング３２の横穴３２ａに位置する。フォーカスモード切り替えボタン３７は、フォーカスリング３２との間に圧縮バネ３９が設けられている。フォーカスモード切り替えボタン３７は、圧縮バネの作用により、フォーカスリング３２の外周方向に付勢されながら図の矢印Ｊ方向に移動可能である。フォーカスモード切り替えボタン３７は、フォーカスリング３２の内側に隠れる部分に、光軸ＡＸ方向に突き出た係止部３７ａを有する。
【０１２２】
図１４（ａ）において、フォーカスリング３２が第１の停止位置に到達すると、フォーカスモード切り替えボタン３７の係止部３７ａが、第２のリング固定枠３８に設けられた係止部３８ａに当接する。したがって、フォーカスモード切り替えボタン３７が操作されない限り、フォーカスリング３２のＫ方向の回転は禁止される。
【０１２３】
フォーカスリング３２が第１の停止位置にある場合、フォーカスモード切り替えボタン３７を押し込んでさらにＫ方向に回転すると、フォーカスモード切り替えボタン３７の係止部３７ａが内部に押し込まれる。
【０１２４】
第２のリング固定枠３８に形成された係止部３８ａは、内部にフォーカスモード切り替えボタン３７の係止部３７ａが通過可能な空間が形成されている。したがって、フォーカスモード切り替えボタン３７は、押し込んでさらにＫ方向に回転するとＫ方向の回転が許容され、図１４（ｂ）に示される第１の停止位置と第２の停止位置との間に進入する。
【０１２５】
フォーカスモード切り替えボタン３７を押し込んだままさらにＫ方向に回転すると、フォーカスモード切り替えボタン３７の係止部３７ａは、Ｋ方向の回転が許容され、図１４（ｃ）に示される第２の停止位置に到達する。第２の停止位置において、フォーカスモード切り替えボタン３７を押し込むことをやめると、フォーカスモード切り替えボタン３７は圧縮バネにより復元される。
【０１２６】
フォーカスモード切り替えボタン３７がもとの状態に戻ると、フォーカスモード切り替えボタン３７の係止部３７ａが、第２のリング固定枠３８に設けられた係止部３８ａに当接する。したがって、フォーカスモード切り替えボタン３７が操作されない限り、フォーカスリング３２の逆方向の回転は禁止される。Ｋ方向の逆方向に回転する場合、第２の停止位置でフォーカスモード切り替えボタン３７を押し込みながら第１の停止位置までＫ方向の逆方向に回転して、第１の停止位置で押し込みをやめればよい。
【０１２７】
フォーカスリング３２は、内周面にＶ溝３２ｄ，３２ｅが形成されている。図２０は、フォーカスリング３２の回転操作による作用を説明する模式図である。図２０において、第３リング固定枠３６は、穴３６ｇと、穴３６ｇにもうけられたクリックボール４８とクリックボール４８を外周方向に付勢する圧縮ばね４７がもうけられている。
【０１２８】
Ｖ溝３２ｄは［ＡＦ］の文字とＶ溝３２ｅは［ＡＦ−Ｍａｃｒｏ］の文字と、それぞれ指標３３と一致したときに、クリック感を持たせるように、Ｖ溝３２ｄ及び３２ｅにクリックボール４８が一致し、クリック感を持たせるように構成されている。
【０１２９】
図２０（ａ）に示すマニュアルフォーカス撮影領域の状態では、フォーカスリング３２に設けられた内周面３２ｂと、圧縮バネ４７の付勢力Ｓが加えられたクリックボール４８とが摺りながら移動する。このため、フォーカスリング３２を手動にて回転させる場合には、一定の負荷が加わった状態で、回転する。
【０１３０】
図２０（ｂ）に示すオートフォーカス撮影領域の状態では、フォーカスリング３２に設けられた内周面３２ｃと、圧縮バネ４７の付勢力Ｔが加えられたクリックボール４８とが摺りながら移動する。このとき、内周面３２ｃの半径は、内周面３２ｂの半径より小さいので、圧縮バネ４７の付勢力Ｔは付勢力Ｓより大きくなる。
【０１３１】
したがって、オートフォーカス撮影領域において、フォーカスリング３２を手動で回転操作する場合には、マニュアルフォーカス領域よりも、その回転負荷が重くなる。このため、マニュアルフォーカス撮影領域とオートフォーカス撮影領域との間で、回転負荷を異なるようにすることができる。
【０１３２】
マニュアルフォーカス撮影領域とオートフォーカス撮影領域との間で、回転負荷を異なるよう構成することにより、撮影者は、フォーカスリング３２を見ることなく操作する場合であっても、その回転負荷の違いにより、どちらの領域で使用しているのかを判別することができる。
【０１３３】
また図２０（ｃ）に示す、文字［ＡＦ−Ｍａｃｒｏ］と指標３３とが一致した状態では、クリックボール４８がＶ溝３２ｅに落ち込み、同様に文字［ＡＦ］と指標３３とが一致した状態では、クリックボール４８がＶ溝３２ｄに落ち込む。このため、撮影者は、手動で回転操作したときに、クリック感を持つ。また、文字［ＡＦ］と文字［ＡＦ−Ｍａｃｒｏ］との間を移行する際の回転負荷を重くしたことにより、不用意にフォーカスリング３２が回転し、撮影者の意図に反して異なるモードに移行することがないので、操作性に優れたマニュアルリングを提供することができる。
【０１３４】
絞りリング４０は、円筒形状である。絞りリング４０は、内周面の光軸ＡＸの像側（ｚ軸の負方向）に３つの凸部４０ｂを持つ。図１２（ａ）は、本発明の実施形態に係る絞りリングの外周面の展開図、図１２（ｂ）は、本発明の実施形態に係る絞りリングの内周面の展開図である。なお、展開図では、凸部４０ｂを省略している。
【０１３５】
図８及び図１２（ａ）において、絞りリング４０は、外周面に絞り値を表示する。物点距離の表示領域は２つの領域に分かれている。図１２（ａ）中、［２］から［１１］までの表示部分がマニュアル領域に対応する。また、図１２（ａ）中、［Ａ］の表示部分がオート領域に対応する。
【０１３６】
図８及び図１２（ｂ）において、絞りリング４０は、内周面に直線のカム溝４２を持つ。カム溝４２は、絞りリニアセンサ４１の摺動子４１ａと結合する。絞りリング４０の内周面は、第３のリング固定枠３６の摺動面３６ｅと嵌め合い保持される。絞りリング４０は、内周に設けた３つの凸部４０ｂと、第３のリング固定枠３６の外周に設けた３つの凹部３６ｆとが結合して、光軸ＡＸに平行な方向（ｚ軸の方向）を規制する。この構成により、絞りリング４０は、光軸ＡＸまわりに回転可能に保持される。
【０１３７】
図１３は、本発明の実施形態に係る絞りリングの回転角度と絞りリニアセンサの出力値の関係を示すグラフである。図１２及び図１３において、絞りリング４０上に表示された文字［２］が、指標３３と一致する角度に位置する場合、絞りリニアセンサ４１の摺動子４１ａは、カム溝４２上のＰの位置にある。その場合、絞りリニアセンサ４１の出力値は、Ｐ‘となる。
【０１３８】
絞りリング４０上に表示された文字［２．８］が、指標３３と一致する角度に位置する場合、絞りリニアセンサ４１の摺動子４１ａは、カム溝４２上のＱの位置にある。その場合、絞りリニアセンサ４１の出力値は、Ｑ‘となる。同様に、絞りリング４０上に表示された文字［４］が、指標３３と一致する角度に位置する場合、絞りリニアセンサ４１の摺動子４１ａは、カム溝４２上のＲの位置にある。その場合、絞りリニアセンサ４１の出力値は、Ｒ‘となる。同様に、絞りリング４０上に表示された文字［５．６］が、指標３３と一致する角度に位置する場合、絞りリニアセンサ４１の摺動子４１ａは、カム溝４２上のＳの位置にある。その場合、絞りリニアセンサ４１の出力値は、Ｓ‘となる。同様に、絞りリング４０上に表示された文字［８］が、指標３３と一致する角度に位置する場合、絞りリニアセンサ４１の摺動子４１ａは、カム溝４２上のＴの位置にある。その場合、絞りリニアセンサ４１の出力値は、Ｔ‘となる。同様に、絞りリング４０上に表示された文字［１１］が、指標３３と一致する角度に位置する場合、絞りリニアセンサ４１の摺動子４１ａは、カム溝４２上のＵの位置にある。その場合、絞りリニアセンサ４１の出力値は、Ｕ‘となる。同様に、絞りリング４０上に表示された文字［Ａ］が、指標３３と一致する角度に位置する場合、絞りリニアセンサ４１の摺動子４１ａは、カム溝４２上のＶの位置にある。その場合、絞りリニアセンサ４１の出力値は、Ｖ‘となる。
【０１３９】
このように、絞りリニアセンサ４１は、絞りリング４０の回転角度と一対一で対応する出力を示す。したがって、絞りリング４０の回転角度を検出することができる。絞りリニアセンサ４１は、回転角度に応じた絞り値信号を電圧変化として出力する。
【０１４０】
絞りリング４０は、外周面に絞りモード切り替えボタン４３を持つ。絞りモード切り替えボタン４３の構造は、先に説明したフォーカスモード切り替えボタン３７の構造と同一である。したがって、図１４（ａ）〜（ｂ）を援用して、説明を行う。
【０１４１】
なお、絞りリング４０において、第１の停止位置は図１２（ａ）において、文字［１１］に相当する位置である。絞りリング４０において、第２の停止位置は図１２（ｂ）において、文字［Ａ］に相当する位置である。
【０１４２】
図１４（ａ）において、絞りリング４０が第１の停止位置に到達すると、絞りモード切り替えボタン４３の係止部４３ａが、第３のリング固定枠３６に設けられた係止部３６ａに当接する。したがって、絞りモード切り替えボタン４３が操作されない限り、絞りリング３２のＫ方向の回転は禁止される。
【０１４３】
絞りリング４０が第１の停止位置にある場合、絞りモード切り替えボタン４３を押し込んでさらにＫ方向に回転すると、絞りモード切り替えボタン４３の係止部４３ａが内部に押し込まれる。第３のリング固定枠３６に形成された係止部３６ａは、内部に絞りモード切り替えボタン４３の係止部４３ａが通過可能な空間が形成されている。したがって、フォーカスモード切り替えボタン４３は、押し込んでさらにＫ方向に回転するとＫ方向の回転が許容され、図１４（ｂ）に示される第１の停止位置と第２の停止位置との間に進入する。
【０１４４】
絞りモード切り替えボタン４３を押し込んだままさらにＫ方向に回転すると、絞りモード切り替えボタン４３の係止部４３ａは、Ｋ方向の回転が許容され、図１４（ｃ）に示される第２の停止位置に到達する。第２の停止位置において、絞りモード切り替えボタン４３を押し込むことをやめると、絞りモード切り替えボタン４３は圧縮バネにより復元される。
【０１４５】
絞りモード切り替えボタン４３がもとの状態に戻ると、絞りモード切り替えボタン４３の係止部４３ａが、第３のリング固定枠３６に設けられた係止部３６ａに当接する。したがって、絞りモード切り替えボタン４３が操作されない限り、絞りスリング４０の逆方向の回転は禁止される。Ｋ方向の逆方向に回転する場合、第２の停止位置で絞りモード切り替えボタン４３を押し込みながら第１の停止位置までＫ方向の逆方向に回転して、第１の停止位置で押し込みをやめればよい。
【０１４６】
マニュアルリングユニット４５は、レンズユニット２と以下のように結合される。第３のリング固定枠３８の内周面は、レンズユニット２の第１レンズ群固定枠３の外周に設けられたリブ３ｆにより支持される。マニュアルリングユニット４５は、光軸ＡＸに平行な方向（ｚ軸の方向）において、第１レンズ群固定枠３に設けられたリブ３ｅと、第２のリング固定枠に設けられた位置決め部３８ｂとが当接して規制される。
【０１４７】
また、マニュアルリングユニット４５の第４のリング固定枠４４は、マスターフランジ５にネジ止めされる。第４のリング固定枠４４は、第３のリング固定枠３６の光軸ＡＸに平行な方向の像側（ｚ軸の負方向）の端面を、光軸ＡＸに平行な方向の被写体側（ｚ軸の正方向）に付勢する。この結果、マニュアルリングユニット４５は、レンズユニット２に対して固定される。
【０１４８】
次に、以上の通り構成されたレンズ鏡筒４６の作用を説明する。
【０１４９】
ズームリング２６が回転操作されると、ズームリング２６に連結されたカム筒回転ピン２０によりカム筒７に回転運動が伝達される。
【０１５０】
カム筒７が光軸ＡＸまわりに回転すると、カムピン８がカム溝１７に案内され、第２レンズ移動枠６が光軸ＡＸに平行な方向に移動する。また、カム筒７が光軸ＡＸまわりに回転すると、カムピン１０がカム溝１８に案内され、第３レンズ移動枠９が光軸ＡＸに平行な方向に移動する。また、カム筒７が光軸ＡＸまわりに回転すると、カムピン１２がカム溝１９に案内され、第４レンズ移動枠１１が光軸ＡＸに平行な方向に移動する。
【０１５１】
第３レンズ移動枠９が光軸ＡＸに平行な方向に移動すると、ズームリニアセンサ２１は、第３レンズ移動枠９の移動を検出して焦点距離信号を出力する。フォーカスリング３２は、回転位置に応じて、手動による回転操作が許容される状態と手動による回転操作が禁止される状態とが存在する。フォーカスリング３２は、指標３３が、図９（ａ）中、［０．３］から［０．６］ｍの表示部分又は［０．６］から［∞］の表示部分と一致している場合、手動による回転操作が許容される。
【０１５２】
フォーカスリング３２の回転が許容されている状態で、フォーカスリング３２が回転操作されると、フォーカスリニアセンサ３５は、回転角度に応じたフォーカス位置信号を出力する。後述する制御系において、フォーカス位置信号に基づいてフォーカスモータ１５を駆動する駆動信号が生成される。駆動信号によりフォーカスモータ１５が回転する。フォーカスモータ１５が回転すると、送りネジ１５ａ及びラック１４ａにより回転運動が直線運動に変換され、第５レンズ移動枠１３が光軸ＡＸに平行な方向（ｚ軸の方向）に移動する。
【０１５３】
フォーカスリング３２は、指標３３が、図９（ａ）中、［ＡＦ］の表示部分又は［ＡＦ−Ｍａｃｒｏ］の表示部分と一致している場合、手動による回転が禁止される。フォーカスリング３２の回転が禁止されている状態では、フォーカスリング３２は回転しないので、第５レンズ移動枠１３が光軸ＡＸに平行な方向（ｚ軸の方向）に移動しない。フォーカスリング３２の回転が許容されている状態から禁止されている状態へ移行させるには、フォーカスリング３２に設けられたフォーカスモード切り替えボタン３７を押し込みながらフォーカスリング３２を回転操作する。
【０１５４】
フォーカスモード切り替えボタン３７を押し込みながらフォーカスリング３２を回転操作させると、図１４（ａ）〜（ｃ）を用いて説明したように、フォーカスリング３２が係止位置である指標３３が文字［∞］の表示に一致する位置を超えて回転する。その後、フォーカスモード切り替えボタン３７を解放すると、フォーカスリング３２は、次の係止位置である指標３３が文字［ＡＦ］の表示に一致する位置で係止される。逆に、フォーカスリング３２の回転が禁止されている状態から許容されている状態へ移行させるには、同様にフォーカスリング３２に設けられたフォーカスモード切り替えボタン３７を押し込みながらフォーカスリング３２を回転させる。
【０１５５】
フォーカスモード切り替えボタン３７を押し込みながらフォーカスリング３２を回転操作させると、図１４（ａ）〜（ｃ）を用いて説明したように、フォーカスリング３２が係止位置である指標３３が文字［ＡＦ］の表示に一致する位置を超えて回転する。その後、フォーカスモード切り替えボタン３７を解放すると、フォーカスリング３２は、手動による回転操作が許容される状態になる。ただし、フォーカスリング３２は、係止位置である指標３３が文字［∞］の表示に一致する位置を超えては回転しない。
【０１５６】
絞りリング４０は、回転位置に応じて、手動により回転操作が許容される状態と手動による回転操作が禁止される状態とが存在する。絞りリング４０は、指標３３が、図１２（ａ）中、［２］から［１１］の表示部分と一致している場合、手動による回転操作が許容される。
【０１５７】
絞りリング４０の回転が許容されている状態で、絞りリング４０が回転操作されると、絞りリニアセンサ４１は、回転角度に応じた絞り値信号を出力する。後述する制御系において、絞り値信号に基づいて絞り駆動モータ２２ｂを駆動する駆動信号が生成される。駆動信号により絞り駆動モータ２２ｂが回転する。絞り駆動モータ２２ｂが回転すると、絞り羽根が駆動され、絞り羽根の動作により撮影光学系Ｌの絞り値が変更される。
【０１５８】
絞りリング４０は、指標３３が、図１２（ａ）中、［Ａ］の表示部分と一致している場合、手動による回転操作が禁止される。絞りリング４０の回転が禁止されている状態では、絞りリング４０は回転しないので、手動による回転操作により絞り羽根が駆動され、絞り値が変更されることはない。絞りリング４０の回転が許容されている状態から禁止されている状態へ移行させるには、絞りリング４０に設けられた絞りモード切り替えボタン４３を押し込みながら絞りリング４０を回転させる。
【０１５９】
絞りモード切り替えボタン４３を押し込みながら絞りリング４０を回転させると、図１４（ａ）〜（ｃ）を用いて説明したように、絞りリング４０が係止位置である指標３３が文字［１１］の表示に一致する位置を超えて回転する。その後、絞りモード切り替えボタン４３を解放すると、絞りリング４０は、次の係止位置である指標３３が文字［Ａ］の表示に一致する位置で係止される。
【０１６０】
逆に、絞りリング４０の回転が禁止されている状態から許容されている状態へ移行させるには、同様に絞りリング４０に設けられた絞りモード切り替えボタン４３を押し込みながら絞りリング４０を回転させる。
【０１６１】
絞りモード切り替えボタン４３を押し込みながら絞りリング４０を回転させると、図１４（ａ）〜（ｃ）を用いて説明したように、絞りリング４０が係止位置である指標３３が文字［Ａ］の表示に一致する位置を超えて回転する。その後、絞りモード切り替えボタン４３を解放すると、絞りリング４０は、手動による回転操作が許容される状態になる。ただし、絞りリング４０は、係止位置である指標３３が文字［１１］の表示に一致する位置を超えては回転しない。
【０１６２】
また絞りリング４０は、内周面に［２．８］，［４］，［５．６］，［８］，［１１］，［Ａ］の文字と指標３３と一致したときに、撮影者がクリック感を持つように、Ｖ溝列４０ｃが形成されている。また、Ｖ溝列４０ｃと対応するように、第３のリング固定枠３６の外周には、圧縮ばねとクリックボールを収納する穴３６ｈ（いずれも、図示せず）がもうけられている。これらの作用は、先に図２０を用いて説明したフォーカスリング３２のＶ溝３２ｄ及びＶ溝３２ｅと、クリックボール４８との間の動作と同様である。
【０１６３】
次に、本発明の実施形態に係るレンズ鏡筒４６の組立方法について説明する。図１５は、本発明の実施形態に係るレンズ鏡筒の組立方法を説明する断面図である。図１６は、本発明の実施形態に係るレンズ鏡筒の組立方法を説明するフローチャートである。
【０１６４】
レンズ鏡筒４６は、各ユニットの組立（ＳＴＥＰ１）と、ズームリングユニット２８の取り付け（ＳＴＥＰ２）と、マニュアルリングユニット４５の取り付け（ＳＴＥＰ３）と、フィルタマウント２９の取り付け（ＳＴＥＰ４）とを含む。
【０１６５】
はじめに、レンズユニット２と、ズームリングユニット２８と、マニュアルリングユニット４５とを組み立てる（ＳＴＥＰ１）。以下、特にズームリングユニット２８と、マニュアルリングユニット４５との組立方法について説明する。
【０１６６】
ズームリングユニット２８は、以下のように組み立てられる。ズームリング２６の３個の凸部２６ａと第１のリング固定枠２７の凹部２７ａとを一致させた状態で、ズームリング２６を光軸ＡＸに平行な方向の像側（ｚ軸の負の方向）から第１のリング固定枠２７に結合する。この構成により、ズームリング２６は第１のリング固定枠２７に対して回転する。以上により、ズームリングユニット２８が組み立てられる。
【０１６７】
マニュアルリングユニット４５は、以下のように組み立てられる。はじめに、第３のリング枠３６に、フォーカスリニアセンサ３５及び絞りリニアセンサ４１を、外周面から所定の位置にネジで固定する。第３のリング固定枠３６に、光軸ＡＸに平行な方向の被写体側（ｚ軸の正の方向）より、フォーカスリング３２を挿入する。フォーカスリング３２を挿入する際、縦溝３４ａに沿って、フォーカスリニアセンサ３５の摺動子３５ａを挿入する。縦溝３４ａは、フォーカスリング３２の内周面にカム溝３４に連続して光軸ＡＸに平行な方向（ｚ軸の方向）に形成されている。フォーカスリング３２を第３のリング固定枠３６に挿入すると、フォーカスリング３２の内周の摺動面３２ａと、第３の固定リング３６の外周に設けられた摺動面３６ｃとが摺り合わされて、フォーカスリング３２は光軸中心に対して回転可能になる。
【０１６８】
フォーカスリング３２を挿入した後、光軸ＡＸに平行な被写体側（ｚ軸の正の方向）より、第３のリング枠３６に第２のリング固定枠３８をネジで固定する。固定することにより、フォーカスリング３２は、第３の固定リング３６の端面３６ｄと、第２の固定リングの端面３８ｃとにより、光軸ＡＸに平行な方向（ｚ軸の方向）に規制される。次に、第３のリング固定枠３６に、光軸ＡＸに平行な像側（ｚ軸の負の方向）より、絞りリング４０を挿入する。絞りリング４０を挿入する際、縦溝４２ａに沿って、絞りリニアセンサ４１の摺動子４１ａを挿入する。縦溝４２ａは、絞りリング４０の内周面にカム溝４２に連続して光軸ＡＸに平行な方向（ｚ軸の方向）に形成されている。絞りリング４０を第３のリング固定枠３６に挿入すると、絞りリング４０の内周の摺動面４０ａと、第３の固定リング３６の外周に設けられた摺動面３６ｃとが摺り合わされて、絞りリング４０は光軸中心に対して回転可能になる。
【０１６９】
同時に、絞りリング４０の内周に設けた３つの凸部４０ｂと、第３のリング固定枠３６の外周に設けた３つの凹部３６ｆとを結合させて、スラスト方向を規制する。結合することにより、光軸ＡＸに平行な方向（ｚ軸の方向）に規制される。以上により、マニュアルリングユニット４５が組み立てられる（以上、ＳＴＥＰ１）。
【０１７０】
次に、組み立てられたズームリングユニット２８を、レンズユニット２に取り付ける（ＳＴＥＰ２）。レンズユニット２に、光軸ＡＸに平行な方向の像側（ｚ軸の負の方向）より、組み立てられたズームリングユニット２８を挿入する。このとき、第１レンズ群固定枠３のリブ３ｃに、第１のリング固定枠２７の位置決め部２７ｃが当接するまで挿入する。また、カム筒回転ピン２０を、ズームリング２６の内周に設けた二股上の突起部２６ｂにより両側を挟み込み、結合させる。以上により、ズームリングユニット２８は、レンズユニット２に取り付けられる（以上、ＳＴＥＰ２）。
【０１７１】
次に、組み立てられたマニュアルリングユニット４５を、レンズユニット２に取り付ける（ＳＴＥＰ３）。レンズユニット２に、光軸ＡＸに平行な方向の像側（ｚ軸の負の方向）より、組み立てられたマニュアルリングユニット４５を挿入する。このとき、第１レンズ群固定枠３に設けられたリブ３ｅに、マニュアルリングユニット４５の第２のリング固定枠３８に形成した位置決め部３８ｂが当接するまで挿入する。このとき、第１レンズ群固定枠３の外周に設けた複数の位置決めリブ３ｆにより、第３のリング固定枠３６の内周が支持される。さらに、レンズユニット２に、光軸ＡＸに平行な方向の像側（ｚ軸の負の方向）より、第４のリング固定枠４４を挿入する。第４のリング固定枠４４は、光軸ＡＸに平行な方向の像側（ｚ軸の負の方向）より、マスターフランジ５に対してネジによって固定される。この際、第３のリング枠固定３６の光軸ＡＸに平行な方向の像側（ｚ軸の負の方向）の端面３６ｂは、第４のリング固定枠４４の光軸ＡＸに平行な方向の被写体側（ｚ軸の正の方向）の端面４４ａと接している（以上、ＳＴＥＰ３）。
【０１７２】
最後に、レンズユニット２に、フィルタマウント２９を取り付ける（ＳＴＥＰ４）。レンズユニット２に、光軸ＡＸに平行な方向の被写体側（ｚ軸の正の方向）より、フィルタマウント２９を取り付ける。レンズユニット２に、光軸ＡＸに平行な方向の被写体側（ｚ軸の正の方向）より、フィルタマウント２９を固定する。フィルタマウント２９は、第１レンズ群固定枠３に設けたリブ３ｄに、端面２９ｃが当接するまで挿入する。フィルタマウント２９は、リブ３ｄ及び３ｅを挟み込むように第１のリング固定枠２７に対して取り付けられる。フィルタマウント２９は、第１のリング固定枠２７にネジ３０により固定される。次に、フィルタマウント２９に、飾りリング３１を、両面テープにより固定する。飾りリング３１を取り付けることにより、ネジ３０を覆う。これにより、デジタルカメラの外装の美観を向上させる（以上、ＳＴＥＰ４）。
【０１７３】
以上、説明したように、本発明の実施形態に係るレンズ鏡筒４６は、第５レンズ群Ｌ５を移動するために手動により回転操作されるフォーカスリング３２と、フォーカスリング３２に一体的に設けられたフォーカスモード切り替えボタン３７とを備えているので、撮影者はフォーカスモード変更する際に、フォーカスリング３２から手を離す必要がない。したがって、撮影者にとって操作性のよいレンズ鏡筒を提供することができる。
【０１７４】
本発明の実施形態に係るレンズ鏡筒４６は、フォーカスレンズ群を移動するために手動により回転操作されるフォーカスリング３２と、フォーカスリング３２に一体的に設けられたフォーカスモード切り替えボタン３７とを備えているので、フォーカスモード設定及びマニュアルフォーカシングをフォーカスリング３２の操作のみにより行うことができる。したがって、撮影者にとって操作性のよいレンズ鏡筒を提供することができる。
【０１７５】
本発明の実施形態に係るレンズ鏡筒４６は、フォーカスリング３２の回転角度に対応してフォーカスリニアセンサ３５の出力が変化するので、フォーカスリング３２の回転操作は、マニュアルフォーカシングを行う操作部材としての機能と、フォーカスモードを切り替えるためのスイッチとしての機能との２つの機能を兼用する。したがって、撮影者にとって操作性のよいレンズ鏡筒を提供することができる。また、スイッチを兼用しているため、部品点数を減少させることができる。
【０１７６】
本発明の実施形態に係るレンズ鏡筒４６において、フォーカスリング３２は、手動による回転が許容される範囲と禁止される特定の位置とを有しており、許容される範囲から禁止される特定の位置へ回転する際に停止位置を持つ。本発明の実施形態に係るレンズ鏡筒４６は、この停止位置でフォーカスモード切り替えボタン３７を操作しない限り、許容される範囲から禁止される特定の位置へ回転しないため、誤って操作されることがない。
【０１７７】
また、本発明の実施形態に係るレンズ鏡筒４６は、絞り値を変更するために手動により回転操作される絞りリング４０と、絞りリング４０に一体的に設けられた絞りモード切り替えボタン４３とを備えているので、撮影者は露出設定モードのうち絞りモードを変更する際に、絞りリング４０から手を離す必要がない。したがって、撮影者にとって操作性のよいレンズ鏡筒を提供することができる。
【０１７８】
本発明の実施形態に係るレンズ鏡筒４６は、本発明の実施形態に係るレンズ鏡筒４６は、絞り装置２２を駆動させるために手動により回転操作される絞りリング４０と、絞りリング４０に一体的に設けられた絞りモード切り替えボタン４３とを備えているので、絞りのモード設定及び絞り値のマニュアル変更を絞りリング４０の操作のみにより行うことができる。したがって、撮影者にとって操作性のよいレンズ鏡筒を提供することができる。
【０１７９】
本発明の実施形態に係るレンズ鏡筒４６は、絞りリング４０の回転角度に対応して絞りリニアセンサ４１の出力が変化するので、絞りリング４１の回転操作は、絞り値を手動で設定するための操作部材としての機能と、絞りモードを切り替えるためのスイッチとしての機能との２つの機能を兼用する。したがって、撮影者にとって操作性のよいレンズ鏡筒を提供することができる。また、スイッチを兼用しているため、部品点数を減少させることができる。
【０１８０】
また、本発明の実施形態に係るレンズ鏡筒４６において、絞りリング４０は、手動による回転が許容される範囲と禁止される特定の位置とを有しており、許容される範囲から禁止される特定の位置へ回転する際に停止位置を持つ。本発明の実施形態に係るレンズ鏡筒４６は、この停止位置で絞りモード切り替えボタン４３を操作しない限り、許容される範囲から禁止される特定の位置へ回転しないため、誤って操作されることがない。
【０１８１】
図１７は、本発明の実施形態に係るデジタルカメラの制御システムを示すブロック図である。図１７において、全体のブロックは、デジタルカメラ１の制御を示す。なお、図１７において、点線で囲まれた範囲が撮像装置ＴＬを示す。デジタルカメラ１には、マイクロコンピュータ４９が搭載されており、各種制御部全体を制御する。
【０１８２】
マイクロコンピュータ４９は、ズーム制御部６０と、シャッターボタン６４と、シャッタースピード設定ダイヤル６５とから信号を受信可能である。マイクロコンピュータ４９は、シャッター制御部６３と、画像記録制御部５５と、画像表示制御部５８と、音声制御部５９とへ信号を送信可能である。マイクロコンピュータ４９は、フォーカス制御部６１と、絞り制御部６２と、デジタル信号処理部５３との間で信号を相互に交信可能である。
【０１８３】
ズーム制御部６０は、ズームリニアセンサ２１から信号を受信する。ズーム制御部６０は、ズームリニアセンサ２１により検出されたズームリング２６の回転量を撮影光学系Ｌの焦点距離情報に変換する。ズーム制御部６０は、焦点距離情報をマイクロコンピュータ４９へ送信する。
【０１８４】
フォーカス制御部６１は、フォーカスリニアセンサ３５から信号を受信可能であり、フォーカス駆動モータ１５へ信号を送信可能である。フォーカス制御部６１は、フォーカスリニアセンサ３５により検出されたフォーカスリング３２の回転角度より、フォーカスモードを判断する。フォーカス制御部６１は、判断した結果をマイクロコンピュータ４９へ送信する。フォーカス制御部６１は、マイクロコンピュータ４９からの指令に基づいてフォーカスリング３２の回転角度より検出した物点距離情報を、マイクロコンピュータ４９へ送信する。フォーカス制御部６１は、マイクロコンピュータ４９からの制御信号に基づいてフォーカスモータ１５を駆動する。
【０１８５】
絞り制御部６２は、絞りリニアセンサ４１から信号を受信可能であり、絞り駆動モータ２２ｂへ信号を送信可能である。絞り制御部６２は、絞りリニアセンサ４１により検出された絞りリング４０の回転角度により、絞りモードを判断する。絞り制御部６２は、判断した結果をマイクロコンピュータ４９へ送信する。絞り制御部６２は、マイクロコンピュータ４９からの指令に基づいて絞りリング４０の回転角度より検出した絞り値情報を、マイクロコンピュータ４９に送信する。絞り制御部６２は、マイクロコンピュータ４９からの制御信号に基づいて絞り駆動モータ２２ｂを駆動する。
【０１８６】
シャッター制御部６３は、マイクロコンピュータ４９からの制御信号に基づいてシャッター駆動モータ２２ａを駆動する。シャッターボタン６４は、マイクロコンピュータ４９へシャッタータイミングを送信する。シャッタースピード設定ダイヤル６５は、設定されたシャッタースピード情報及びシャッターモード情報を送信する。
【０１８７】
撮像センサー１６は、ＣＣＤ（Ｃｈａｒｇｅ  Ｃｏｕｐｌｅｄ  Ｄｅｖｉｃｅ）である。撮像センサー１６は、レンズユニット２の撮影光学系ＴＬにより形成される光学的な像を電気的な画像信号に変換する。撮像センサー１６は、ＣＣＤ駆動制御部５０により駆動・制御される。撮像センサー１６から出力される画像信号は、アナログ信号処理部５１と、Ａ／Ｄ変換部５２と、デジタル信号処理部５３と、バッファメモリ５４と、画像圧縮部５６との順に処理される
【０１８８】
画像信号は、撮像センサー１６から、アナログ信号処理部５１へ送信される。アナログ信号処理部５１は、撮像センサー１６が出力する画像信号に、ガンマ処理等のアナログ信号処理を施す。画像信号は、アナログ信号処理部５１から、Ａ／Ｄ変換部５２へ送信される。Ａ／Ｄ変換部５２は、アナログ信号処理部５１から出力されたアナログ画像信号をデジタル信号に変換する。
【０１８９】
画像信号は、Ａ／Ｄ変換部５２から、デジタル信号処理部５３へ送信される。デジタル信号処理部５３は、Ａ／Ｄ変換部５２によりデジタル信号に変換された画像信号のノイズ除去や輪郭強調等のデジタル信号処理を施す。画像信号は、デジタル信号処理部５３から、バッファメモリ５４へ送信される。バッファメモリ５４は、デジタル信号処理部５３により処理された画像信号を一旦記憶する。バッファメモリ５４は、ＲＡＭ（Ｒａｎｄｏｍ  Ａｃｃｅｓｓ  Ｍｅｍｏｒｙ）である。
【０１９０】
画像信号は、画像記憶制御部５５からの指令に従って、バッファメモリ５４から、画像圧縮部５６に送信される。画像圧縮部５６は、画像記録制御部５５の指令に従って画像信号のデータを所定の大きさに圧縮する。画像信号は、所定の比率でデータの圧縮を受け、元のデータより小さなデータサイズになる。例えばこの圧縮方式として、ＪＰＥＧ（Ｊｏｉｎｔ  Ｐｈｏｔｏｇｒａｐｈｉｃ  Ｅｘｐｅｒｔｓ  Ｇｒｏｕｐ）方式が用いられる。
【０１９１】
圧縮された画像信号は、画像圧縮部５６から画像記録部５７及び液晶モニタＬＣＤへ送信される。一方、マイクロコンピュータ４９は、画像記録制御部５５及び画像表示制御部５８へ制御信号を送信する。画像記録制御部５５は、マイクロコンピュータ４９からの制御信号に基づいて画像記録部５７を制御する。画像表示制御部は、マイクロコンピュータ４９からの制御信号に基づいて液晶モニタＬＣＤを制御する。
【０１９２】
画像記録部５７は、画像記録制御部５５の指令に基づいて、画像信号を内部メモリ及び／又はリムーバブルメモリに記録する。画像記録部５７は、画像記録制御部５５の指令に基づいて、画像信号とともに記憶すべき情報を、内部メモリ及び／又はリムーバブルメモリに記録する。画像信号とともに記憶すべき情報は、画像を撮影した際の日時，焦点距離情報，シャッタースピード情報，絞り値情報，撮影モード情報を含む。
【０１９３】
液晶モニタＬＣＤは、画像表示制御部５８の指令に基づいて、画像信号を可視画像として表示する。液晶モニタＬＣＤは、画像表示制御部５８の指令に基づいて、画像信号とともに表示すべき情報を、表示する。画像信号とともに表示すべき情報は、焦点距離情報，シャッタースピード情報，絞り値情報，撮影モード情報，合焦状態情報の表示を含む。また、マイクロコンピュータ４９は、音声制御部５９へ制御信号を送信する。音声制御部５９は、マイクロコンピュータ４９からの制御信号に基づいてスピーカＳＰを駆動・制御する。スピーカＳＰは、外部へ所定のアラーム音を発する。
【０１９４】
以下、図１７を用いて、デジタルカメラ１のフォーカス動作について説明する。デジタルカメラ１は、通常撮影領域に対して自動でフォーカシングを行うオート通常撮影モードと、近接撮影領域に対して自動でフォーカシングを行うオートマクロ撮影モードと、通常撮影領域に対して手動でフォーカシングを行うマニュアル通常撮影モードと、近接撮影領域に対して手動でフォーカシングを行うマニュアルマクロ撮影モードとの４つのフォーカスモードを持つ。
【０１９５】
デジタルカメラ１の操作を行う撮影者は、フォーカスリング３２を所定の回転角度に設定することにより、４つのフォーカスモードを選択することができる。すなわち、撮影者は、フォーカスリング３２の文字［ＡＦ］を指標３３と一致させると、オート通常撮影モードに設定可能である。撮影者は、フォーカスリング３２の文字［ＡＦ−Ｍａｃｒｏ］を指標３３と一致させると、オートマクロ撮影モードに設定可能である。撮影者は、フォーカスリング３２の文字［０．６］ｍ〜［∞］の間に指標３３と一致させると、マニュアル通常撮影モードに設定可能である。撮影者は、フォーカスリング３２の文字［０．］ｍ〜［０．３］の間に指標３３と一致させると、マニュアルマクロ撮影モードに設定可能である。
【０１９６】
以下、４つのフォーカスモードの内、オート通常撮影モードと、オートマクロ撮影モードとを総称してオートフォーカスモードという。また、以下、マニュアル通常撮影モードと、マニュアルマクロ撮影モードとを総称してマニュアルフォーカスモードという。フォーカスリニアセンサ３５は、回転角度に応じた信号をフォーカス制御部６１へ出力する。
【０１９７】
フォーカスリング３２の文字［ＡＦ］又は［ＡＦ−Ｍａｃｒｏ］に指標３３が一致した状態にあるとき、フォーカス制御部６１は、フォーカスリニアセンサ３５から受信した信号に基づいてフォーカスモードがオートフォーカスモードであることを判断する。判断した結果は、マイクロコンピュータ４９へ送信される。
【０１９８】
マイクロコンピュータ４９は、フォーカス制御部６１から受信した判断結果に基づいてオートフォーカスモードであることを認識する。マイクロコンピュータ４９は、フォーカス制御部６１へ制御信号を送信し、フォーカス駆動モータ１５を駆動して第５レンズ群Ｌ５を微動させる。
【０１９９】
マイクロコンピュータ４９は、デジタル信号処理部５３へ指令を送信する。デジタル信号処理部５３は、受信した指令に基づいて所定のタイミングで画像信号をマイクロコンピュータ４９へ送信する。マイクロコンピュータ４９は、受信した画像信号と、予めズーム制御部６０から受信した焦点距離情報とに基づいて、撮影光学系Ｌが合焦状態になるフォーカスリング３２の光軸ＡＸに平行な方向の移動量を演算する。マイクロコンピュータ４９は、演算結果に基づいて制御信号を生成する。マイクロコンピュータ４９は、制御信号をフォーカス制御部６１へ送信する。
【０２００】
併せて、マイクロコンピュータ４９は、画像表示制御部５８に制御信号を送信する。画像表示制御部５８は、液晶モニタＬＣＤを駆動する。液晶モニタＬＣＤは、フォーカスモードがオートフォーカスモードである旨の表示を行う。併せて、マイクロコンピュータ４９は、音声制御部５９に制御信号を送信する。音声制御部５９は、音声信号を生成し、スピーカＳＰを駆動する。スピーカＳＰは、フォーカスモードがオートフォーカスモードである旨のアラーム音を発する。
【０２０１】
フォーカス制御部６１は、マイクロコンピュータ４９からの制御信号に基づいてフォーカス駆動モータ１５を駆動するための駆動信号を生成する。フォーカスモータ１５は、駆動信号に基づいて駆動される。フォーカスモータ１５の駆動により、第５レンズ群Ｌ５が自動で光軸ＡＸに平行な方向（ｚ軸）に移動する。
【０２０２】
以上のようにして、デジタルカメラ１のオートフォーカスモードによるフォーカシングが行われる。以上の動作は、撮影者のシャッターボタン６４の操作後、瞬時に実行される。
【０２０３】
マイクロコンピュータ４９は、撮影が終了すると、画像記録制御部５５に制御信号を送信する。画像記録部５７は、画像記録制御部５５の指令に基づいて、画像信号を内部メモリ及び／又はリムーバブルメモリに記録する。画像記録部５７は、画像記録制御部５５の指令に基づいて、画像信号とともに撮影モードがオートフォーカスモードである旨の情報を、内部メモリ及び／又はリムーバブルメモリに記録する。
【０２０４】
フォーカスリング３２の文字［０．３］ｍ〜［∞］の間に指標３３が一致した状態にあるとき、フォーカス制御部６１は、フォーカスモードがマニュアルフォーカスモードであることを判断する。判断した結果は、マイクロコンピュータ４９へ送信される。
【０２０５】
マイクロコンピュータ４９は、フォーカス制御部６１へフォーカスリング３２の回転角度より検出した物点距離情報を要求する。フォーカス制御部６１は、マイクロコンピュータ４９からの指令に基づいてフォーカスリング３２の回転角度より検出した物点距離情報を、マイクロコンピュータ４９へ送信する。マイクロコンピュータ４９は、フォーカス制御部６１から受信した判断結果に基づいてマニュアルフォーカスモードであることを認識する。マイクロコンピュータ４９は、フォーカスリング３２の回転角度より検出した物点距離情報に基づいて第５レンズ群Ｌ５を移動するための制御信号を生成する。マイクロコンピュータ４９は、生成した制御信号をフォーカス制御部６１へ送信する。
【０２０６】
併せて、マイクロコンピュータ４９は、画像表示制御部５８に制御信号を送信する。画像表示制御部５８は、液晶モニタＬＣＤを駆動する。液晶モニタＬＣＤは、フォーカスモードがマニュアルフォーカスモードである旨の表示を行う。併せて、マイクロコンピュータ４９は、音声制御部５９に制御信号を送信する。音声制御部５９は、マニュアルフォーカスモードである際に予め設定された音声信号を生成しスピーカＳＰへ送信する。スピーカＳＰは、音声信号に応じてアラーム音を発する。
【０２０７】
フォーカス制御部６１は、マイクロコンピュータ４９からの制御信号に基づいてフォーカス駆動モータ１５を駆動するための駆動信号を生成する。フォーカスモータ１５は、駆動信号に基づいて駆動される。フォーカスモータ１５の駆動により、第５レンズ群Ｌ５がフォーカスリング３２の回転量に応じて光軸ＡＸに平行な方向（ｚ軸）に移動する。
【０２０８】
以上のようにして、デジタルカメラ１のマニュアルフォーカスモードによるフォーカシングが行われる。撮影者は、液晶モニタＬＣＤにおいて被写体を確認しながらフォーカスリング３２を回転してフォーカシングを行うことができる。マニュアルフォーカシングモードにおいて、撮影者がシャッターボタンを操作すると、その状態のまま撮影が行われる。
【０２０９】
マイクロコンピュータ４９は、撮影が終了すると、画像記録制御部５５に制御信号を送信する。画像記録部５７は、画像記録制御部５５の指令に基づいて、画像信号を内部メモリ及び／又はリムーバブルメモリに記録する。画像記録部５７は、画像記録制御部５５の指令に基づいて、画像信号とともに撮影モードがマニュアルフォーカスモードである旨の情報を、内部メモリ及び／又はリムーバブルメモリに記録する。
【０２１０】
次に、図１７を用いて、デジタルカメラ１の露出設定動作について説明する。デジタルカメラ１は、通常撮影領域に対して自動で露出設定を行うプログラム撮影モードと、シャッタースピードを手動で設定するシャッタースピード優先撮影モードと、絞り値を手動で設定する絞り優先撮影モードと、シャッタースピード及び絞り値を両方とも手動で設定するマニュアル撮影モードとの４つの露出設定モードを持つ。
【０２１１】
デジタルカメラ１の操作を行う撮影者は、絞りリング４０を所定の回転角度とシャッタースピード設定ダイヤル６５の回転角度とを組み合わせて設定することにより、４つの露出設定モードを選択することができる。すなわち、撮影者は、絞りリング４０の文字［Ａ］を指標３３と一致させた状態で、シャッタースピード設定ダイヤル６５をオートの位置に合わせると、プログラム撮影モードに設定可能である。撮影者は、絞りリング４０の文字［Ａ］を指標３３と一致させた状態で、シャッタースピード設定ダイヤル６５をマニュアル設定可能な位置に合わせると、シャッタースピード優先撮影モードに設定可能である。撮影者は、絞りリング４０の文字［２］〜［１１］を指標３３と一致させた状態で、シャッタースピード設定ダイヤル６５をオートの位置に合わせると、絞り優先撮影モードに設定可能である。撮影者は、絞りリング４０の文字［２］〜［１１］を指標３３と一致させた状態で、シャッタースピード設定ダイヤル６５をマニュアル設定可能な位置に合わせると、マニュアル撮影モードに設定可能である。
【０２１２】
以下、４つの露出設定モードの内、プログラム撮影モードと、シャッタースピード優先撮影モードとを総称してオート絞りモードという。また、以下、絞り優先撮影モードと、マニュアル撮影モードとを総称してマニュアル絞りモードという。
【０２１３】
絞りリニアセンサ４１は、回転角度に応じた信号を絞り制御部６２へ出力する。絞りリング４０の文字［Ａ］を指標３３と一致させた状態にあるとき、シャッターボタン６４が操作されると、絞り制御部６２は、絞りリニアセンサ４１から受信した信号に基づいて露出設定モードがオート絞りモードであることを判断する。判断した結果は、マイクロコンピュータ４９へ送信される。
【０２１４】
また、シャッタースピード設定ダイヤル６５は、回転角度に応じた信号をマイクロコンピュータ４９へ出力する。マイクロコンピュータ４９は、絞り制御部６２から受信した判断結果と、シャッタースピード設定ダイヤル６５からの信号とに基づいて、露出設定モードがオート絞りモードであることを認識する。
【０２１５】
マイクロコンピュータ４９は、デジタル信号処理部５３へ指令を送信する。デジタル信号処理部５３は、受信した指令に基づいて所定のタイミングで画像信号をマイクロコンピュータ４９へ送信する。マイクロコンピュータ４９は、受信した画像信号に基づいて露出値を演算する。マイクロコンピュータ４９は、露出設定モードがプログラム撮影モードである場合、調整可能な絞り値とシャッタースピードとから適切な組み合わせを演算する。マイクロコンピュータ４９は、露出設定モードがシャッタースピード優先撮影モードである場合、設定されたシャッタースピードに対する適切な絞り値を演算する。
【０２１６】
マイクロコンピュータ４９は、演算結果に基づいて制御信号を生成する。マイクロコンピュータ４９は、演算された絞り値に基づく制御信号を絞り制御部６２へ送信する。マイクロコンピュータ４９は、露出設定モードがプログラム撮影モードである場合、演算されたシャッタースピードに基づく制御信号をシャッター制御部６３へ送信する。マイクロコンピュータ４９は、露出設定モードがシャッタースピード優先撮影モードである場合、シャッタースピード設定ダイヤル６５により設定されたシャッタースピードの内容をシャッター制御部６３へ送信する。
【０２１７】
併せて、マイクロコンピュータ４９は、画像表示制御部５８に制御信号を送信する。画像表示制御部５８は、液晶モニタＬＣＤを駆動する。液晶モニタＬＣＤは、制御信号の内容がプログラム設定モードを指示するものであるとき、露出設定モードがプログラム撮影モードである旨の表示を行う。液晶モニタＬＣＤは、制御信号の内容がシャッター優先モードを指示するものであるとき、露出設定モードがシャッタースピード優先モードである旨の表示を行う。併せて、マイクロコンピュータ４９は、音声制御部５９に制御信号を送信する。音声制御部５９は、音声信号を生成しスピーカＳＰを駆動する。スピーカＳＰは、露出モードが変更された場合、アラーム音を発生する。
【０２１８】
絞り制御部６２は、マイクロコンピュータ４９からの制御信号に基づいて絞り駆動モータ２２ｂを駆動するための駆動信号を生成する。絞り駆動モータ２２ｂは、駆動信号に基づいて駆動される。絞り駆動モータ２２ｂの駆動により、絞り羽根が駆動される。
【０２１９】
シャッター制御部６３は、マイクロコンピュータ４９からの制御信号に基づいてシャッター駆動モータ２２ａを駆動するための駆動信号を生成する。シャッター駆動モータ２２ａは、駆動信号に基づいて駆動される。シャッター駆動モータ２２ａの駆動により、シャッター羽根が駆動される。
【０２２０】
以上のようにして、デジタルカメラ１のオート絞りモードによる露出設定が行われる。以上の動作は、撮影者のシャッターボタン６４の操作後、瞬時に実行される。
【０２２１】
マイクロコンピュータ４９は、撮影が終了すると、画像記録制御部５５に制御信号を送信する。画像記録部５７は、画像記録制御部５５の指令に基づいて、画像信号を内部メモリ及び／又はリムーバブルメモリに記録する。
【０２２２】
画像記録部５７は、画像記録制御部５５の指令に基づいて、制御信号の内容がプログラム設定モードを指示するものであるとき、画像信号とともに露出設定モードがプログラム撮影モードである旨の情報を内部メモリ及び／又はリムーバブルメモリに記録する。画像記録部５７は、画像記録制御部５５の指令に基づいて、制御信号の内容がシャッター優先モードを指示するものであるとき、画像信号とともに露出設定モードがシャッタースピード優先モードである旨の情報を内部メモリ及び／又はリムーバブルメモリに記録する。
【０２２３】
絞りリング４０の文字［２］〜［１１］の間の位置を指標３３と一致させた状態にあるとき、シャッターボタン６４が操作されると、絞り制御部６２は、絞りリニアセンサ４１から受信した信号に基づいて露出設定モードがマニュアル絞りモードであることを判断する。判断した結果は、マイクロコンピュータ４９へ送信される。また、シャッタースピード設定ダイヤル６５は、回転角度に応じた信号をマイクロコンピュータ４９へ出力する。
【０２２４】
マイクロコンピュータ４９は、絞り制御部６２から受信した判断結果と、シャッタースピード設定ダイヤル６５からの信号とに基づいて、露出設定モードがマニュアル絞りモードであることを認識する。
【０２２５】
マイクロコンピュータ４９は、絞り制御部６２へ絞りリング４４の回転角度より検出した絞り値情報を要求する。絞り制御部６２は、マイクロコンピュータ４９からの指令に基づいて絞りリング４０の回転角度より検出した絞り値情報を、マイクロコンピュータ４９へ送信する。マイクロコンピュータ４９は、露出設定モードが絞り優先撮影モードである場合、デジタル信号処理部５３へ指令を送信する。デジタル信号処理部５３は、受信した指令に基づいて所定のタイミングで画像信号をマイクロコンピュータ４９へ送信する。
【０２２６】
マイクロコンピュータ４９は、露出設定モードが絞り優先撮影モードである場合、受信した画像信号に基づいてシャッタースピードを演算する。マイクロコンピュータ４９は、露出設定モードが絞り優先撮影モードである場合、検出された絞り値に対する適切なシャッタースピードを演算する。マイクロコンピュータ４９は、露出設定モードが絞り優先撮影モードである場合、演算結果に基づいて制御信号を生成する。マイクロコンピュータ４９は、露出設定モードが絞り優先撮影モードである場合、演算されたシャッタースピードに基づく制御信号をシャッター制御部６３へ送信する。マイクロコンピュータ４９は、露出設定モードがマニュアル撮影モードである場合、シャッタースピード設定ダイヤル６５により設定されたシャッタースピードの内容をシャッター制御部６３へ送信する。
【０２２７】
併せて、マイクロコンピュータ４９は、画像表示制御部５８に制御信号を送信する。画像表示制御部５８は、液晶モニタＬＣＤを駆動する。液晶モニタＬＣＤは、制御信号の内容が絞り優先撮影モードを指示するものであるとき、露出設定モードが絞り優先撮影モードである旨の表示を行う。液晶モニタＬＣＤは、制御信号の内容がマニュアル撮影モードを指示するものであるとき、露出設定モードがマニュアル撮影モードである旨の表示を行う。併せて、マイクロコンピュータ４９は、音声制御部５９に制御信号を送信する。音声制御部５９は、音声信号を生成しスピーカＳＰを駆動する。スピーカＳＰは、露出モードが変更された場合、アラーム音を発生する。
【０２２８】
絞り制御部６２は、マイクロコンピュータ４９からの制御信号に基づいて絞り駆動モータ２２ｂを駆動するための駆動信号を生成する。絞り駆動モータ２２ｂは、駆動信号に基づいて駆動される。絞り駆動モータ２２ｂの駆動により、絞り羽根が駆動される。シャッター制御部６３は、マイクロコンピュータ４９からの制御信号に基づいてシャッター駆動モータ２２ａを駆動するための駆動信号を生成する。シャッター駆動モータ２２ａは、駆動信号に基づいて駆動される。シャッター駆動モータ２２ａの駆動により、シャッター羽根が駆動される。
【０２２９】
以上のようにして、デジタルカメラ１のマニュアル絞りモードによる露出設定が行われる。以上の動作は、撮影者のシャッターボタン６４の操作後、瞬時に実行される。
【０２３０】
マイクロコンピュータ４９は、撮影が終了すると、画像記録制御部５５に制御信号を送信する。画像記録部５７は、画像記録制御部５５の指令に基づいて、画像信号を内部メモリ及び／又はリムーバブルメモリに記録する。
【０２３１】
画像記録部５７は、画像記録制御部５５の指令に基づいて、制御信号の内容が絞り優先モードを指示するものであるとき、画像信号とともに露出設定モードが絞り優先モードである旨の情報を内部メモリ及び／又はリムーバブルメモリに記録する。画像記録部５７は、画像記録制御部５５の指令に基づいて、制御信号の内容がマニュアル撮影モードを指示するものであるとき、画像信号とともに露出設定モードがマニュアル撮影モードである旨の情報を内部メモリ及び／又はリムーバブルメモリに記録する。
【０２３２】
以上、説明したように、本発明の実施形態に係る撮像装置ＴＬは、以下の構成を備えている。
（１）被写体の光学的な像を形成する撮影光学系Ｌを含むレンズ鏡筒（レンズ鏡筒４６）
（２）撮影光学系Ｌにより形成された光学的な像を電気的な画像信号に変換する撮像センサー（撮像センサー１６）、
（３）制御手段（マイクロコンピュータ４９）
また、（２）レンズ鏡筒は、以下の構成を含んでいる。
（２ａ）撮影光学系に含まれ、撮影光学系の光軸に平行な方向へ移動することにより物体距離を変更可能なフォーカスレンズ群（第５レンズ群Ｌ５）
（２ｂ）フォーカスレンズ群を光軸に平行な方向へ移動させる移動手段（送りネジ１５ａ及びラック１４ａ）
（２ｃ）制御信号に基づき移動手段を駆動する駆動手段（フォーカスモータ２２ｂ）
（２ｄ）撮影光学系の光軸に同軸の円筒形状であり、手動により回転操作される第１の操作部材（フォーカスリング３２）
（２ｅ）第１の操作部材に一体的に設けられ、第１の操作部材（フォーカスリング３２）の手動による回転操作を許容する状態と、禁止する状態とを切り替えるために操作される第２の操作部材（フォーカスモード切り替えボタン３７）
（２ｆ）第１の操作部材（フォーカスリング３２）の回転角度に応じた信号を出力する回転角度検知手段（フォーカスリニアセンサ３５）
また、（３）制御手段は、以下の動作を行う。
（３ａ）第２の操作部材（フォーカスモード切り替えボタン３７）の操作により、第１の操作部材（フォーカスリング３２）の回転操作が許容された状態において、第１の操作部材（フォーカスリング３２）が回転操作された場合、回転角度検知手段（フォーカスリニアセンサ３５）の出力した信号に基づいて、フォーカスレンズ群（第５レンズ群Ｌ５）を移動させるための制御信号を生成する。
【０２３３】
本発明の実施形態に係る撮像装置ＴＬは、特にフォーカスリング３２と、フォーカスリング３２に一体的に設けられたフォーカスモード切り替えボタン３７とを備えているので、撮影者はフォーカスモード変更する際に、フォーカスリング３２から手を離す必要がない。したがって、撮影者にとって操作性のよい撮像装置を提供することができる。
【０２３４】
本発明の実施形態に係る撮像装置ＴＬは、フォーカスリング３２の回転角度に対応してフォーカスリニアセンサ３５の出力が変化するので、フォーカスリング３２の回転操作は、マニュアルフォーカシングを行う操作部材としての機能と、フォーカスモードを切り替えるためのスイッチとしての機能との２つの機能を兼用する。したがって、撮影者にとって操作性のよい撮像装置を提供することができる。また、スイッチを兼用しているため、部品点数を減少させることができる。
【０２３５】
本発明の実施形態に係る撮像装置ＴＬは、フォーカスリング３２と、フォーカスレンズ群である第５レンズ群Ｌ５とが機械的に接続されていないので、撮影者はマニュアルフォーカスの際に、わずかのトルクでフォーカスリング３２を回転させることができる。このため、撮影者の操作性の高い撮像装置を提供することができる。
【０２３６】
本発明の実施形態に係る撮像装置ＴＬは、フォーカスリング３２と、フォーカスレンズ群である第５レンズ群Ｌ５とが機械的に接続されていないので、ズームリングなど、他に機械的に撮影光学系と接続された操作部材を持つ場合、撮影者はリングを手動で回転操作する際にいずれのリングであるかをトルクにより識別することができる。
【０２３７】
また、本発明の実施形態に係る撮像装置ＴＬは、上記構成に加えて以下の構成を備えている。
（４）撮影光学系のデフォーカス量を演算する演算手段（マイクロコンピュータ４９）
また、（３）制御手段（マイクロコンピュータ４９）は、上記内容に加えて以下の動作を行う。
第２の操作部材の操作（フォーカスモード切り替えボタン３７）により、第１の操作部材（フォーカスリング３２）の回転操作が禁止された状態において、動作開始が指示された場合（シャッターボタン６４のオン）、演算手段の演算結果に基づいて、フォーカスレンズ群を移動させるための制御信号を生成する。
【０２３８】
本発明の実施形態に係る撮像装置ＴＬは、フォーカスリング３２と、フォーカスレンズ群である第５レンズ群Ｌ５とが機械的に接続されていないので、マイクロコンピュータ４９により上述の制御が行われるオートフォーカスモードである場合、フォーカスリング３２は回転しない。したがって、撮影者にとって操作性のよい撮像装置を提供することができる。
【０２３９】
また、以上、説明したように、本発明の実施形態に係る撮像装置ＴＬは、以下の構成を備えている。
（１）被写体の光学的な像を形成する撮影光学系Ｌを含むレンズ鏡筒（レンズ鏡筒４６）
（２）撮影光学系Ｌにより形成された光学的な像を電気的な画像信号に変換する撮像センサー（撮像センサー１６）、
（３）制御手段（マイクロコンピュータ４９）
また、（２）レンズ鏡筒（レンズ鏡筒４６）は、以下の構成を含んでいる。
（２ａ）撮影光学系の光軸上の所定位置に設けられ、撮影光学系の絞り値を変更可能な絞り装置（絞り装置２２）
（２ｂ）制御信号に基づき絞り装置を動作させる駆動手段（絞り駆動モータ２２ｂ）
（２ｃ）撮影光学系の光軸に同軸の円筒形状であり、駆動手段を駆動して変更手段による絞り装置の絞り値を変更するために手動により回転操作される第１の操作部材（絞りリング４０）
（２ｄ）第１の操作部材に一体的に設けられ、第１の操作部材の手動による回転操作を許容する状態と、禁止する状態とを切り替えるために操作される第２の操作部材（絞りモード切り替えボタン４３）
（２ｅ）第１の操作部材の回転角度に応じた信号を出力する回転角度検知手段（絞りリニアセンサ４１）
また、（３）制御手段は、以下の動作を行う。
（３ａ）第２の操作部材（絞りモード切り替えボタン４３）の操作により、第１の操作部材の回転操作（絞りリング４０）が許容された状態において、第１の操作部材（絞りリング４０）が回転操作された場合、回転角度検知手段（絞りリニアセンサ４１）の出力した信号に基づいて、絞り装置の絞り値を変更させるための制御信号を生成する。
【０２４０】
本発明の実施形態に係る撮像装置ＴＬは、特に絞りリング４０と、絞りリング４０に一体的に設けられた絞りモード切り替えボタン４３とを備えているので、撮影者は露出設定のうちの絞り値を変更する際、絞りリング４０から手を離す必要がない。したがって、撮影者にとって操作性のよい撮像装置を提供することができる。
【０２４１】
本発明の実施形態に係る撮像装置ＴＬは、絞りリング４０の回転角度に対応して絞りリニアセンサ４１の出力が変化するので、絞りリング４０の回転操作は、マニュアルで絞り値設定を行う操作部材としての機能と、露出設定の内の絞り値を切り替えるためのスイッチとしての機能との２つの機能を兼用する。したがって、撮影者にとって操作性のよい撮像装置を提供することができる。また、スイッチを兼用しているため、部品点数を減少させることができる。
【０２４２】
本発明の実施形態に係る撮像装置ＴＬは、絞りリング４０と、絞り装置２２とが機械的に接続されていないので、撮影者はマニュアルによる絞り値設定の際に、わずかのトルクで絞りリング４０を回転させることができる。このため、撮影者の操作性の高い撮像装置を提供することができる。
【０２４３】
また、本発明の実施形態に係る撮像装置ＴＬは、上記構成に加えて以下の構成を備えている。
（４）光量を検知する測光手段（撮像センサー１６）
（５）測光手段の検知結果に基づいて撮影光学系の絞り値を演算する演算手段（マイクロコンピュータ４９）
また、（３）制御手段（マイクロコンピュータ４９）は、上記内容に加えて以下の動作を行う。
第２の操作部材（絞りモード切り替えボタン４３）の操作により、第１の操作部材（絞りリング４０）の回転操作が禁止された状態において、動作開始が指示された場合、演算手段（マイクロコンピュータ４９）の演算結果に基づいて、絞り装置の絞り値を変更させるための制御信号を生成する。
【０２４４】
本発明の実施形態に係る撮像装置ＴＬは、絞りリング４０と、絞り装置２２とが機械的に接続されていないので、マイクロコンピュータ４９により上述の制御が行われるオート絞りモードである場合、絞りリング４０は回転しない。したがって、撮影者にとって操作性のよい撮像装置を提供することができる。
【０２４５】
また、本発明の実施形態に係る撮像装置ＴＬは、上記構成に加えて以下の構成を備えている。
（４）光量を測定する測光手段（撮像センサー１６）
（６）シャッタースピードを設定するシャッタースピード設定手段（シャッタースピード設定ダイヤル６５）
（５）測光手段の検知結果と、シャッタースピード設定手段の設定とに基づいて撮影光学系の絞り値を演算する演算手段（マイクロコンピュータ４９）
また、（３）制御手段（マイクロコンピュータ４９）は、上記内容に加えて以下の動作を行う。
第２の操作部材（絞りモード切り替えボタン４３）の操作により、第１の操作部材（絞りリング４０）の回転操作が禁止された状態において、動作開始が指示された場合、演算手段（マイクロコンピュータ４９）の演算結果に基づいて、絞り装置の絞り値を変更させるための制御信号を生成する。
【０２４６】
本発明の実施形態に係る撮像装置ＴＬは、絞りリング４０と、絞り装置２２とが機械的に接続されていないので、マイクロコンピュータ４９により上述の制御が行われるシャッタースピード優先モードである場合、絞りリング４０は回転しない。したがって、撮影者にとって操作性のよい撮像装置を提供することができる。
【０２４７】
本発明の実施形態に係るデジタルカメラ１は、フォーカスモード切り替えボタン３７の操作により、フォーカスリング３２の回転操作が許容された状態にあるとき、フォーカスリング３２の回転操作によりフォーカスレンズ群が移動するマニュアルフォーカスモードの状態にあることを撮影者に伝達する伝達手段（液晶モニタＬＣＤ、スピーカＳＰ）を備えている。
【０２４８】
また、本発明の実施形態に係るデジタルカメラ１は、絞りモード切り替えボタン４３の操作により、絞りリング４０の回転操作が許容された状態にあるとき、絞りリング４０の回転操作により絞り装置が駆動するマニュアル絞りモードの状態にあることを撮影者に伝達する伝達手段（液晶モニタＬＣＤ、スピーカＳＰ）を備えている。
【０２４９】
本発明の実施形態に係るデジタルカメラ１は、以上の構成を備えているので、撮影者はフォーカスリング３２あるいは絞りリング４０が手動で回転操作が可能であることを認識することができる。したがって、撮影を行う際の誤操作を防止することができ、撮影者にとって操作性のよい撮像装置を提供することができる。
【０２５０】
また、本発明の実施形態に係るデジタルカメラ１は、フォーカスモード切り替えボタン３７の操作により、フォーカスリング３２の回転操作が許容された状態にあるとき、記録されるべき画像信号とともに、当該画像信号が第１の操作部材の回転操作によりフォーカスレンズ群が移動するマニュアルフォーカスモードの状態で撮影されたことを含む情報を記録する記録手段（画像記録部５７）を備えている。
【０２５１】
また、本発明の実施形態に係るデジタルカメラ１は、絞りモード切り替えボタン４３の操作により、絞りリング４０の回転操作が許容された状態にあるとき、記録されるべき画像信号とともに、当該画像信号が第１の操作部材の回転操作により絞り装置２２が駆動されるマニュアル絞りモードの状態で撮影されたことを含む情報を記録する記録手段（画像記録部５７）を備えている。
【０２５２】
本発明の実施形態に係るデジタルカメラ１は、以上の構成を備えているので、撮影者はフォーカスリング３２あるいは絞りリング４０が手動で回転操作が可能であるときに撮影した画像信号について、撮影モードを画像信号とともに記録することができる。したがって、特に設定することになく撮影した画像信号に付加される情報を充実させることができ、撮影者にとって操作性のよい撮像装置を提供することができる。
【０２５３】
なお、以上説明した本発明の実施形態は、その内容に具体的な態様に限られず、適宜変更することが可能である。
【０２５４】
例えば、本実施形態においては、フォーカスリング３２および絞りリング４０の絶対角度検出をする際に、摺動子を持つリニアセンサを用いたが、接点ブラシと導電パターンを用いたリニアセンサとしてもよい。
【０２５５】
図１８は、本発明の実施形態の変形例に係るリニアセンサの導電パターンを示す模式図である。図１８に示したリニアセンサは、接点ブラシ７０と、導電パターン７１とを含む。図１８に示したリニアセンサにおいて、接点ブラシ７０が導電パターン７１の上を移動すると、接点ブラシ７０と導電パターン７１の接触面積が変化する。このとき、接点ブラシに電圧を印加すると、導電パターン７１から出力される電圧が変化する。したがって、接点ブラシ７０の位置を検出することができる。
【０２５６】
図１８に示したリニアセンサを、実施形態のフォーカスリニアセンサ２１と置換する場合、接点ブラシ７０をフォーカスリング３２の内周に設け、導電パターン７１を第３のリング固定枠３６の外周に固定すればよい。図１８に示したリニアセンサを、実施形態の絞りリニアセンサ４１と置換する場合、接点ブラシ７０を絞りリング４０の内周に設け、導電パターン７１を第３のリング固定枠３６の外周に固定すればよい。その他、リニアセンサの代わりに、回転量を検出するロータリエンコーダを用いてもよい。
【０２５７】
また、本実施形態においては、フォーカスおよび絞りのオートとマニュアルモードの切り替えにおいて、どちらのモードに移行する際にも、切り替えボタンを押しながらリングを回転させたが、この構成に限られない。
【０２５８】
図１９は、本発明の実施形態の変形例に係るフォーカスモード切り替えボタン３７の作用を説明する略断面図である。図中に矢印Ｋで示した方向は、光軸ＡＸ回りの回転方向を示す。フォーカスリング３２において、第１の停止位置は、図９（ａ）に示す文字［∞］の位置に相当する。また、フォーカスリング３２において、第２の停止位置は、図９（ａ）に示す文字［ＡＦ］の位置に相当する。変形例のフォーカスモード切り替えボタンは、概略、実施形態のフォーカスモード切り替えボタン３７と同一の構成を有する。一方、変形例の第２のリング固定枠３８に設けられた係止部３８ａ’の形状は、実施形態の第２のリング固定枠３８に設けられた係止部３８ａの形状と異なる。
【０２５９】
変形例の係止部３８ａは、一方の側に斜面を有する（図１９（ｃ）参照）。このため、第２の停止位置（図１９（ｃ）の状態）から逆Ｋ方向に回転する場合、フォーカスモード切り替えボタン３７の係止部３７ａは、係止部３８ａ’の斜面に沿って移動可能であるため、係止部３８ａ’は係止部として機能しない。このとき、変形例では、マニュアル通常撮影領域からオート通常撮影領域に回転操作される場合、実施形態で説明した通り、フォーカスモード切り替えボタン３７を押しながらフォーカスリング３２を回転させないと回転操作することができない。しかしながら、オート通常撮影領域からマニュアル通常撮影領域に回転操作される場合、実施形態で説明した動作とは異なり、フォーカスモード切り替えボタン３７を押さなくてもフォーカスリング３２を回転させることが可能になる。撮影者は、オート通常撮影領域からマニュアル撮影領域へ移動する場合、瞬時に切り替えを望むこともあり得る。このような場合は、変形例の構成とすることにより、フォーカスモード切り替えボタン３７の動作を省略することができる。
【０２６０】
また、実施形態においては、ズームリング、フォーカスリング、絞りリングの３つのリングを搭載したデジタルカメラについて説明したが、ズームリングとフォーカスリングの２つのリングのみを搭載したデジタルカメラに適応できることは言うまでもない。また、そのリングを配置する順番についても、本実施形態にて説明した順番に限るものではない。
【０２６１】
また、実施形態においては、ズームリングは手動による回転操作する例を示したが、ズームリングに、実施形態のフォーカスリングと同様の構成を用いて、モータにより駆動されるパワーズームとしてもよい。
【０２６２】
また、実施形態においては、オートフォーカスの演算は、撮像センサーから出力される画像信号に基づいて行う例を示したが、これに限られない。撮像センサーとは別に設けた位相差検出方式のパッシブ型検出センサや、撮像センサーとは別に設けた投光装置と受光装置とから測距するアクティブ型検出センサを用いてもよい。
【０２６３】
また、実施形態においては、シャッターは、撮影光学系中に配置されるいわゆるレンズシャッターであったが、撮像センサー近傍に配置されるフォーカルプレーンシャッターを用いてもよい。
【０２６４】
また、撮影光学系は、仕様や目的に応じて適宜変更可能である。例えば、本実施形態にて説明したような全長が固定の撮影光学系に限らず、ズーム倍率に応じて、全長が変化する全長可変方式にも適応できる。
【産業上の利用可能性】
【０２６５】
本発明は、操作性がよく部品点数が削減されたデジタルカメラを提供することができる。また、本発明のレンズ鏡筒および撮像装置を、携帯電話端末やＰＤＡ（Ｐｅｒｓｏｎａｌ  Ｄｉｇｉｔａｌ  Ａｓｓｉｓｔ）などのモバイル機器に適用することにより、これらの機器に、操作性がよく部品点数が削減されたデジタルカメラを組み込むことができる。
【図面の簡単な説明】
【０２６６】
【図１】本発明の実施形態に係るデジタルカメラの上面図
【図２】本発明の実施形態に係るデジタルカメラの撮影光学系の構成図
【図３】本発明の実施形態に係るレンズ鏡筒の断面図
【図４】本発明の実施形態に係るレンズユニットの分解斜視図
【図５】本発明に係るレンズ鏡筒の第３レンズ移動枠の軸受け部付近の部分断面図
【図６】（ａ）は、本発明の実施形態のレンズ鏡筒のズームリニアセンサの回路図、（ｂ）は、本発明の実施形態のレンズ鏡筒のズームリニアセンサの出力を表すグラフ
【図７】本発明の実施形態に係るレンズ鏡筒のカム筒の展開図
【図８】本発明の実施形態に係るフィルタマウント及びリングユニットの分解斜視図
【図９】（ａ）は、本発明の実施形態に係るフォーカスリングの外周面の展開図、（ｂ）は、本発明の実施形態に係るフォーカスリングの内周面の展開図
【図１０】本発明の実施形態に係るフォーカスリングとフォーカスリニアセンサの結合を示す断面図
【図１１】本発明の実施形態に係るフォーカスリングの回転角度とフォーカスリニアセンサの出力値の関係を示すグラフ
【図１２】（ａ）は、本発明の実施形態に係る絞りリングの外周面の展開図、（ｂ）は、本発明の実施形態に係る絞りリングの内周面の展開図
【図１３】本発明の実施形態に係る絞りリングの回転角度と絞りリニアセンサの出力値の関係を示すグラフ
【図１４】（ａ）は、本発明の実施形態に係るフォーカスリングが第１の停止位置にある場合の略断面図、（ｂ）は、本発明の実施形態に係るフォーカスリングが第１の停止位置と第２の停止位置との間にある場合の略断面図、（ｃ）は、本発明の実施形態に係るフォーカスリングが第２の停止位置にある場合の略断面図
【図１５】本発明の実施形態に係るレンズ鏡筒の組立方法を説明する断面図
【図１６】本発明の実施形態に係るレンズ鏡筒の組立方法を説明するフローチャート
【図１７】本発明の実施形態に係るデジタルカメラの制御システムを示すブロック図
【図１８】本発明の実施形態の変形例に係るフォーカスリニアセンサの導電パターンを示す模式図
【図１９】本発明の実施形態の変形例に係るフォーカスモード切り替えボタン３７の作用を説明する略断面図
【図２０】本発明の実施形態に係るフォーカスリングの回転操作による作用を説明する模式図
【符号の説明】
【０２６７】
ＢＤ  本体
ＴＬ  撮像装置
Ｌ  撮影光学系
Ｌ１  １群レンズ
Ｌ２  ２群レンズ
Ｌ３  ３群レンズ
Ｌ４  ４群レンズ
Ｌ５  ５群レンズ（フォーカスレンズ群）
１  デジタルカメラ
２  レンズユニット
３  第１レンズ群固定枠
４ａ，４ｂ、４ｃ  ガイドポール
５  マスターフランジ
７  カム筒
９  第３レンズ移動枠
１５  フォーカスモータ
２１  ズームリニアセンサ
２１ａ  ズームリニアセンサの摺動子
２２  シャッターユニット
２５  リングユニット
２６  ズームリング
２７  第１のリング固定枠
２８  ズームリングユニット
２９  フィルタマウント
３２  フォーカスリング
３３  指標
３４  フォーカスリングのカム溝
３５  フォーカスリニアセンサ
３５ａ  フォーカスリニアセンサの摺動子
３６  第３のリング固定枠
３７  フォーカスモード切り替えボタン
３８  第２のリング固定枠
４０  絞りリング
４１  絞りリニアセンサ
４１ａ  絞りリニアセンサの摺動子
４２  絞りリングのカム溝
４３  絞りモード切り替えボタン
４４  第４のリング固定枠
４５  マニュアルリングユニット
４６  レンズ鏡筒
４９  マイクロコンピュータ
６０  ズーム制御部
６１  フォーカス制御部
６２  絞り制御部
６３  シャッター制御部
６４  シャッターボタン
６５  シャッタースピード設定ダイヤル
【図１】
0004783552.tif 000002
【図２】
0004783552.tif 000003
【図３】
0004783552.tif 000004
【図４】
0004783552.tif 000005
【図５】
0004783552.tif 000006
【図６】
0004783552.tif 000007
【図７】
0004783552.tif 000008
【図８】
0004783552.tif 000009
【図９】
0004783552.tif 000010
【図１０】
0004783552.tif 000011
【図１１】
0004783552.tif 000012
【図１２】
0004783552.tif 000013
【図１３】
0004783552.tif 000014
【図１４】
0004783552.tif 000015
【図１５】
0004783552.tif 000016
【図１６】
0004783552.tif 000017
【図１７】
0004783552.tif 000018
【図１８】
0004783552.tif 000019
【図１９】
0004783552.tif 000020
【図２０】
0004783552.tif 000021